(57)【要約】【課題】高グリップ性と低燃費との両立を図ることができる上に、走行時における優れた安全性を提供する車両用制御装置を提供すること。【解決手段】本発明の車両用制御装置によれば、車輪と走行路面との間の摩擦係数を摩擦係数算出手段が算出すると共に、その摩擦係数算出手段が算出した摩擦係数に基づき車輪のキャンバー角の指令値をキャンバー角算出手段が算出し、その一方で、制動検出手段が検出した制動操作部材の操作状態に基づきキャンバー角制御装置を作動させる車輪を対象車輪選択手段が選択する。そして、キャンバー角算出手段が算出したキャンバー角の指令値に基づき、象車輪選択手段が選択した車輪のキャンバー角を第１のキャンバー角変更手段が調整する構成であるので、省燃費性能の向上を図りつつ、車輪のスリップを抑制するのに必要な摩擦係数を車輪が確実に発揮して、加速性能、制動性能或いは旋回性能の向上をより効果的に図ることができる。【選択図】図２４
2008238911.tif 000002
【特許請求の範囲】
【請求項１】
軸方向に並設された第１トレッドと第２トレッドとを備えると共に、前記第１トレッドは前記第２トレッドに比してグリップ力の高い特性に構成されると共に、前記第２トレッドは前記第１トレッドに比して転がり抵抗の小さい特性に構成された車輪と、
その車輪のキャンバー角を調整するキャンバー角調整装置と、を備える車両に対し、前記キャンバー角調整装置を作動させて、前記車輪のキャンバー角を制御する車両用制御装置であって、
前記車輪と走行路面との間に生じる摩擦係数を算出する摩擦係数算出手段と、
その摩擦係数算出手段により算出された摩擦係数に基づいて、前記車輪のキャンバー角の指令値を算出するキャンバー角算出手段と、
運転者が車両を制動するために操作する制動操作部材の操作状態を検出する制動検出手段と、
その制動検出手段により検出した操作状態に基づいて、前記キャンバー角調整装置を作動させる車輪を選択する対象車輪選択手段と、
前記キャンバー角算出手段により算出されたキャンバー角の指令値に基づいて、前記対象車輪選択手段により選択された車輪のキャンバー角を調整することで、前記車輪の第１トレッドと第２トレッドとの接地を変更する第１のキャンバー角変更手段と、
を備えていることを特徴とする車両用制御装置。
【請求項２】
前記車輪を機械的に制動する機械的制動手段と、
前記車輪のうち駆動輪の回転エネルギーを電気エネルギーに回生することで制動する回生制動手段と、
前記制動検出手段により検出した操作状態に基づいて、前記機械的制動手段により付与される制動力と前記回生制動手段により付与される制動力との比率を、駆動輪及び従動輪毎に取得する制動比率取得手段と、を備え、
前記対象車輪選択手段は、前記制動比率取得手段により取得された比率に基づいて車輪を選択することを特徴とする請求項１記載の車両用制御装置。
【請求項３】
前記対象車輪選択手段は、
前記制動比率取得手段により取得された比率において、前記機械的制動手段により付与される制動力に対する、前記回生制動手段により付与される制動力が所定の閾値以上の比率である場合には、駆動輪のみを選択し、
前記制動比率取得手段により取得された比率において、前記機械的制動手段により付与される制動力に対する、前記回生制動手段により付与される制動力が所定の閾値未満の比率である場合には、全ての車輪を選択する、
ことを特徴とする請求項１又は２に記載の車両用制御装置。
【請求項４】
前記車両の旋回状態に基づいて該車両にかかる遠心力を取得する旋回状態取得手段と、を備え、
前記対象車輪選択手段は、
前記旋回状態取得手段により取得された遠心力が所定の閾値以上である場合には、全ての車輪を選択し、
前記旋回状態取得手段により取得された遠心力が所定の閾値未満である場合には、駆動輪のみを選択する、
ことを特徴とする請求項２又は３に記載の車両用制御装置。
【請求項５】
前記従動輪のキャンバー角の大きさを検出するキャンバー角検出手段と、
前記キャンバー角検出手段により検出された前記従動輪のキャンバー角の大きさが示す転がり抵抗が所定値以上であり、かつ、前記車輪選択手段により駆動輪のみが選択されている場合に、該従動輪の転がり抵抗が所定値以下になるようにキャンバー角を変更する第２のキャンバー角変更手段と、を備えていることを特徴とする請求項１から４のいずれかに記載の車両用制御装置。
【発明の詳細な説明】
【技術分野】
【０００１】
本発明は、車輪と、その車輪のキャンバー角を調整するキャンバー角調整装置とを有する車両に対し、前記キャンバー角調整装置を作動させて、前記車輪のキャンバー角を制御する車両用制御装置に関し、特に、高グリップ性と低燃費との両立を図ることができる車両用制御装置に関するものである。
【背景技術】
【０００２】
車輪のキャンバー角（タイヤ中心と地面とがなす角度）をマイナス方向で大きくとることで、タイヤの能力を十分に引き出して、旋回性能の向上を図る試みが行われている。これは、キャンバー角を例えば０°に設定していると、直進走行時にはトレッドが幅方向の全域で地面に接地するが、旋回時には遠心力による車両のロールにより内側のトレッドが地面から浮き上がり、十分な旋回性能を得られないからである。従って、マイナス方向のキャンバー角を予め付与しておくことで、旋回時にトレッドが地面へ幅広く接地でき、旋回性能の向上を図ることができる。
【０００３】
しかしながら、マイナス方向に大きなキャンバー角で車輪を車両に装着すると、タイヤの旋回性能は向上されるが、直進走行時に内側のトレッド端部における接地圧が高くなり、タイヤが偏磨耗して不経済であると共に、トレッド端部の温度が高温になるという問題点があった。
【０００４】
そこで、特開平２−１８５８０２号公報には、マイナス方向に大きなキャンバー角で車両に車輪を装着する場合に、タイヤの一方側のサイド部を他方側のサイド部より強く補強して剛性を大ならしめると共に、トレッドゴムを２分して、その一方側を他方側より硬度を低くする、或いはトレッド端部のトレッド厚みを厚くして、耐摩耗性、耐熱性及び高グリップ性を確保する技術が開示されている（特許文献１）。
【０００５】
また、ＵＳ６，３４７，８０２Ｂ１公報には、車輪のキャンバー角をアクチュエータの駆動力によってアクティブ制御するサスペンションシステムが開示されている（特許文献２）。
【特許文献１】特開平２−１８５８０２号公報
【特許文献２】ＵＳ６，３４７，８０２Ｂ１公報
【発明の開示】
【発明が解決しようとする課題】
【０００６】
しかしながら、前者の技術では、旋回時の高グリップ性を維持するという点では十分な性能を発揮し得るが、高グリップ性と低燃費（低転がり抵抗）との両立という点では不十分であるという問題点があった。また、上述した従来の技術では、高グリップ性は旋回時に限られるものであり、例えば、直進走行時の急加速・急制動時における高グリップ性の発揮が不十分であるという問題点があった。同様に、後者の技術では、高グリップ性と低燃費との両立という点では不十分であるという問題点があった。
【０００７】
本発明は上述した問題点を解決するためになされたものであり、高グリップ性と低燃費との両立を図ることができる車両用制御装置を提供することを目的としている。
【課題を解決するための手段】
【０００８】
この目的を達成するために、請求項１記載の車両用制御装置は、軸方向に並設された第１トレッドと第２トレッドとを備えると共に、前記第１トレッドは前記第２トレッドに比してグリップ力の高い特性に構成されると共に、前記第２トレッドは前記第１トレッドに比して転がり抵抗の小さい特性に構成された車輪と、その車輪のキャンバー角を調整するキャンバー角調整装置と、を備える車両に対し、前記キャンバー角調整装置を作動させて、前記車輪のキャンバー角を制御するものであって、前記車輪と走行路面との間に生じる摩擦係数を算出する摩擦係数算出手段と、その摩擦係数算出手段により算出された摩擦係数に基づいて、前記車輪のキャンバー角の指令値を算出するキャンバー角算出手段と、運転者が車両を制動するために操作する制動操作部材の操作状態を検出する制動検出手段と、その制動検出手段により検出した操作状態に基づいて、前記キャンバー角調整装置を作動させる車輪を選択する対象車輪選択手段と、前記キャンバー角算出手段により算出されたキャンバー角の指令値に基づいて、前記対象車輪選択手段により選択された車輪のキャンバー角を調整することで、前記車輪の第１トレッドと第２トレッドとの接地を変更する第１のキャンバー角変更手段と、を備えている。
【０００９】
請求項２記載の車両用制御装置は、請求項１記載の車両制御装置において、前記車輪を機械的に制動する機械的制動手段と、前記車輪のうち駆動輪の回転エネルギーを電気エネルギーに回生することで制動する回生制動手段と、前記制動検出手段により検出した操作状態に基づいて、前記機械的制動手段により付与される制動力と前記回生制動手段により付与される制動力との比率を、駆動輪及び従動輪毎に取得する制動比率取得手段と、を備え、前記対象車輪選択手段は、前記制動比率取得手段による取得された比率に基づいて車輪を選択する。
【００１０】
請求項３記載の車両用制御装置は、請求項１又は２に記載の車両用制御装置において、前記対象車輪選択手段は、前記制動比率取得手段により取得された比率において、前記機械的制動手段により付与される制動力に対する、前記回生制動手段により付与される制動力が所定の閾値以上の比率である場合には、駆動輪のみを選択し、前記制動比率取得手段により取得された比率において、前記機械的制動手段により付与される制動力に対する、前記回生制動手段により付与される制動力が所定の閾値未満の比率である場合には、全ての車輪を選択する。
【００１１】
請求項４記載の車両用制御装置は、請求項２又は３に記載の車両用制御装置において、前記車両の旋回状態に基づいて該車両にかかる遠心力を取得する旋回状態取得手段と、を備え、前記対象車輪選択手段は、前記旋回状態取得手段により取得された遠心力が所定の閾値以上である場合には、全ての車輪を選択し、前記旋回状態取得手段により取得された遠心力が所定の閾値未満である場合には、駆動輪のみを選択する。
【００１２】
請求項５記載の車両用制御装置は、請求項１から４のいずれかに記載の車両用制御装置において、前記従動輪のキャンバー角の大きさを検出するキャンバー角検出手段と、前記キャンバー角検出手段により検出された前記従動輪のキャンバー角の大きさが示す転がり抵抗が所定値以上であり、かつ、前記車輪選択手段により駆動輪のみが選択されている場合に、該従動輪の転がり抵抗が所定値以下になるようにキャンバー角を変更する第２のキャンバー角変更手段と、を備えている。
【発明の効果】
【００１３】
請求項１記載の車両用制御装置によれば、キャンバー角調整装置により、車輪のキャンバー角がマイナス方向（ネガティブキャンバー方向）に調整されると、車両の内側に配置されるトレッド（第１トレッド又は第２トレッド）の接地が増加される一方、車両の外側に配置されるトレッド（第２トレッド又は第１トレッド）の接地が減少される。
【００１４】
これに対し、車輪のキャンバー角がプラス方向（ポジティブキャンバー方向）に調整されると、車両の内側に配置されるトレッド（第１トレッド又は第２トレッド）の接地が減少される一方、車両の外側に配置されるトレッド（第２トレッド又は第１トレッド）の接地が増加される。
【００１５】
このように、請求項１記載の車両用制御装置によれば、キャンバー角調整装置によって、車輪のキャンバー角を調整することで、車輪の第１トレッドにおける接地と第２トレッドにおける接地との比率（一方のトレッドのみが接地し、他方のトレッドが路面から離れている状態を含む）を任意のタイミングで変更することができるので、第１トレッドの特性より得られる性能と第２トレッドの特性より得られる性能との２つの性能の両立を図ることができるという効果がある。
【００１６】
ここで、請求項１記載の車両用制御装置によれば、第１トレッドを、第２トレッドに比して、グリップ力の高い特性とすると共に、第２トレッドを、第１トレッドに比して、転がり抵抗の小さい特性とする構成であるので、車輪のキャンバー角を調整して、第１トレッドにおける接地と第２トレッドにおける接地との比率（一方のトレッドのみが接地し、他方のトレッドが路面から離れている状態を含む）を変更することで、走行性能（例えば、旋回性能、加速性能、制動性能或いは雨天時や積雪路などでの車両安定性など）と省燃費性能との２つの性能の両立を図ることができるという効果がある。
【００１７】
このように互いに背反する２つの性能の両立は、従来の車両では達成することが不可能であり、それぞれの性能に対応する２種類のタイヤを履き替える必要があったところ、請求項１記載の車両用制御装置のように、第１及び第２トレッドを有する車輪のキャンバー角が、キャンバー角調整装置により調整される構成とすることで初めて達成可能となったものであり、これにより、互いに背反する２つの性能の両立を達成することができる。
【００１８】
また、請求項１記載の車両用制御装置によれば、車輪と走行路面との間の摩擦係数を摩擦係数算出手段が算出すると共に、その摩擦係数算出手段が算出した摩擦係数に基づいて車輪のキャンバー角の指令値をキャンバー角算出手段が算出し、その一方で、制動検出手段が検出した制動操作部材の操作状態に基づいてキャンバー角制御装置を作動させる車輪を対象車輪選択手段が選択する。
【００１９】
そして、キャンバー角算出手段が算出したキャンバー角の指令値に基づいて、対象車輪選択手段が選択した車輪のキャンバー角を第１のキャンバー角変更手段が調整する構成であるので、省燃費性能の向上を図りつつ、車輪のスリップを抑制するのに必要な摩擦係数を車輪が確実に発揮して、加速性能、制動性能或いは旋回性能の向上をより効果的に図ることができるという効果がある。
【００２０】
ここで、グリップ力の高い特性に構成されるトレッドが第１トレッドとして車両の内側に配設する構成であれば、かかる第１トレッドを利用する場合に、左右の車輪にネガティブキャンバーを付与した状態とすることができるので、その分、旋回性能のより一層の向上を図ることができるという効果がある。
【００２１】
また、第２トレッドの両側（車輪の幅方向両側）に第１トレッドを配設する構成であれば、かかる第１トレッドを利用する場合に、左右の車輪が共に旋回内側へ傾斜する方向へキャンバー角を付与した状態とすることができるので、その分、旋回性能のより一層の向上を図ることができるという効果がある。
【００２２】
請求項２記載の車両用制御装置によれば、請求項１記載の車両用制御装置の奏する効果に加えて、次の効果を奏する。制動検出手段により検出された操作状態に基づいて、機械的制動手段によって付与される制動力と、回生制動手段によって付与される制動力の比率が、制動比率取得手段により、駆動輪及び従動輪毎に取得される。なお、回生制動手段により付与される制動力は、駆動輪の回転エネルギーを電気エネルギーに回生することによる制動力である。そして、制動比率取得手段により取得された比率に基づいて、第１のキャンバー角変更手段による変更を実行する車輪が対象車輪選択手段によって選択される。
【００２３】
よって、機械的制動手段によって付与される制動力と回生制動手段によって付与される制動力との比率に応じて、キャンバー角の変更を行う車輪を適宜選択できるという効果がある。その結果、高グリップ力の付与が無駄である車輪（例えば、機械的制動手段によって付与される制動力が比較的小さい従動輪）に対するキャンバー角の変更を行わないようにすることができる。
【００２４】
なお、請求項２における「従動輪」は、駆動手段に接続されておらず、駆動輪に従動する従動輪（例えば、車両が前後左右４輪のうち前左右２輪が駆動される２輪駆動車における後左右２輪）だけでなく、駆動手段に接続されて自身も駆動輪として機能することも可能であるが、該駆動手段による駆動力の付与が停止されたことにより従動輪化されている場合（例えば、前後左右４輪が駆動される４輪駆動車において、駆動力の付与が停止されて従動輪化された後左右２輪）を含む。
【００２５】
請求項３記載の車両用制御装置によれば、請求項１又は２に記載の車両用制御装置の奏する効果に加えて、次の効果を奏する。制動比率取得手段により取得された制動力の比率において、機械的制動手段によって付与される制動力に対する回生制動手段によって付与される制動力が所定の閾値以上の比率である場合には、対象車輪選択手段により、第１のキャンバー角変更手段による変更を実行する車輪として駆動輪のみが選択される。
【００２６】
一方で、制動比率取得手段により取得された制動力の比率において、機械的制動手段によって付与される制動力に対する回生制動手段によって付与される制動力が所定の閾値未満の比率である場合には、対象車輪選択手段により、第１のキャンバー角変更手段による変更を実行する車輪として全ての車輪が選択される。
【００２７】
よって、従動輪に対し機械的制動手段によって付与される制動力が比較的小さい場合（ゼロである場合を含む）には、かかる従動輪に高グリップ力を発揮させることは無駄となるので、かかる場合に、キャンバー角算出手段により算出されたキャンバー角に基づくキャンバー角の調整を駆動輪のみに行い、従動輪については行わないことにより、従動輪に無駄な高グリップ力を発揮させることを抑制することができる。その結果、より優れた省燃費性能を提供することができるという効果がある。
【００２８】
その一方で、従動輪を含む場合であっても、機械的制動手段によって付与される制動力に対する回生制動手段によって付与される制動力が所定の閾値未満の比率であるとき、即ち、従動輪に対し機械的制動手段によって所定レベル以上の制動力が付与されているときには、第１のキャンバー角変更手段によるキャンバー角の変更は全ての車輪について行われる。
【００２９】
従って、従動輪に対し機械的制動手段によって所定レベル以上の制動力が付与される場合には、駆動輪だけでなく従動輪についてもキャンバー角算出手段により算出されたキャンバー角に基づくキャンバー角の調整が行われるので、車輪のスリップを抑制するのに必要な摩擦係数を車輪が確実に発揮して、従動輪の制動性能の向上、その結果としての、車両の制動性能をより有効に向上させることができるという効果がある。
【００３０】
請求項４記載の車両用制御装置によれば、請求項２又は３に記載の車両用制御装置の奏する効果に加えて、次の効果を奏する。車両の旋回状態に基づいて旋回状態取得手段により取得された車両の旋回状態が所定の閾値以上である場合には、対象車輪選択手段により、第１のキャンバー角変更手段による変更を実行する車輪として全ての車輪が選択される。
【００３１】
一方で、車両の旋回状態に基づいて旋回状態取得手段により取得された車両の旋回状態が所定の閾値未満である場合には、対象車輪選択手段により、第１のキャンバー角変更手段による変更を実行する車輪として駆動輪のみが選択される。
【００３２】
よって、車両の遠心力が比較的小さい場合には、従動輪に対し必要以上の高グリップ力を発揮させることは無駄となるので、かかる場合に、キャンバー角算出手段により算出されたキャンバー角に基づくキャンバー角の調整を駆動輪のみに行い、従動輪については行わないことにより、従動輪に必要以上の高グリップ力を発揮させることを抑制することができる。その結果、より優れた省燃費性能を提供することができるという効果がある。
【００３３】
その一方で、従動輪を含む場合であっても、車両の遠心力が所定の閾値以上であるとき、即ち、急旋回や高速旋回のように車両の遠心力が大きいことを示すときには、第１のキャンバー角変更手段によるキャンバー角の変更は全ての車輪について行われる。
【００３４】
従って、急旋回や高速旋回のように車両の遠心力が大きい場合には、駆動輪だけでなく従動輪についてもキャンバー角算出手段により算出されたキャンバー角に基づくキャンバー角の調整が行われるので、車輪のスリップを抑制するのに必要な摩擦係数を車輪が確実に発揮させることができる。その結果、車両の旋回性能（及び加速・制動性能）の向上をより効果的に図ることができるという効果がある。
【００３５】
請求項５記載の車両用制御装置によれば、請求項１から４のいずれかに記載の車両用制御装置の奏する効果に加え、次の効果を奏する。対象車輪選択手段により、第１のキャンバー角変更手段による変更を実行する車輪として駆動輪のみが選択された場合に、キャンバー角検出手段により検出された従動輪のキャンバー角の大きさが、該従動輪が所定値以上の転がり抵抗を示す大きさであるときには、第２のキャンバー角変更手段により、該従動輪のキャンバー角が、該従動輪の転がり抵抗が所定値以下となるように変更される。
【００３６】
よって、対象車輪選択手段により第１のキャンバー角変更手段による変更を実行する車輪として駆動輪のみが選択された場合、即ち、従動輪に高グリップ力より省燃費性を優先させる場合に、従動輪のキャンバー角が、実際に付与されているキャンバー角に比べ、車輪の転がり抵抗特性がより低くなるキャンバー角に調整されるので、優れた省燃費性能を提供することができるという効果がある。
【発明を実施するための最良の形態】
【００３７】
以下、本発明の好ましい実施の形態について添付図面を参照して説明する。図１は、本発明の第１実施の形態における車両用制御装置１００が搭載される車両１を模式的に示した模式図である。なお、図１の矢印ＦＷＤは、車両１の前進方向を示す。
【００３８】
まず、車両１の概略構成について説明する。車両１は、図１に示すように、車体フレームＢＦと、その車体フレームＢＦに支持される複数（本実施の形態では４輪）の車輪２と、それら各車輪２を独立に回転駆動する車輪駆動装置３と、各車輪２の操舵駆動及びキャンバー角の調整等を行うキャンバー角調整装置４とを主に備え、車輪２のキャンバー角を車両用制御装置１００により制御して、車輪２に設けられた２種類のトレッドを使い分けることで（図５及び図６参照）、走行性能の向上と省燃費の達成とを図ることができるように構成されている。
【００３９】
次いで、各部の詳細構成について説明する。車輪２は、図１に示すように、車両１の進行方向前方側に位置する左右の前輪２ＦＬ，２ＦＲと、進行方向後方側に位置する左右の後輪２ＲＬ，２ＲＲとの４輪を備え、これら前後輪２ＦＬ〜２ＲＲは、車輪駆動装置３から回転駆動力を付与されて、それぞれ独立に回転可能に構成されている。
【００４０】
車輪駆動装置３は、各車輪２を独立に回転駆動するための回転駆動装置であり、図１に示すように、４個の電動モータ（ＦＬ〜ＲＲモータ３ＦＬ〜３ＲＲ）を各車輪２に（即ち、インホイールモータとして）配設して構成されている。運転者がアクセルペダル５２を操作した場合には、各車輪駆動装置３から回転駆動力が各車輪２に付与され、各車輪２がアクセルペダル５２の操作量に応じた回転速度で回転される。
【００４１】
また、車輪２（前後輪２ＦＬ〜２ＲＲ）は、キャンバー角調整装置４により舵角とキャンバー角とが調整可能に構成されている。キャンバー角調整装置４は、各車輪２の舵角とキャンバー角とを調整するための駆動装置であり、図１に示すように、各車輪２に対応する位置に合計４個（ＦＬ〜ＲＲアクチュエータ４ＦＬ〜４ＲＲ）が配置されている。
【００４２】
例えば、運転者がステアリング５４を操作した場合には、キャンバー角調整装置４の一部（例えば、前輪２ＦＬ，２ＦＲ側のみ）又は全部が駆動され、ステアリング５４の操作量に応じた舵角を車輪２に付与する。これにより、車輪２の操舵動作が行われ、車両１が所定の方向へ旋回される。
【００４３】
また、キャンバー角調整装置４は、車両１の走行状態（例えば、定速走行時または加減速時、或いは、直進時または旋回時）や車輪２が走行する路面Ｇの状態（例えば、乾燥路面時と雨天路面時）などの状態変化に応じて、車両用制御装置１００により作動制御され、車輪２のキャンバー角を調整する。
【００４４】
ここで、図２を参照して、車輪駆動装置３とキャンバー角調整装置４との詳細構成について説明する。図２（ａ）は、車輪２の断面図であり、図２（ｂ）は、車輪２の舵角及びキャンバー角の調整方法を模式的に説明する模式図である。
【００４５】
なお、図２（ａ）では、車輪駆動装置３に駆動電圧を供給するための電源配線などの図示が省略されている。また、図２（ｂ）中の仮想軸Ｘｆ−Ｘｂ、仮想軸Ｙｌ−Ｙｒ、及び、仮想軸Ｚｕ−Ｚｄは、それぞれ車両１の前後方向、左右方向、及び、上下方向にそれぞれ対応する。
【００４６】
図２（ａ）に示すように、車輪２（前後輪２ＦＬ〜２ＲＲ）は、ゴム状弾性材から構成されるタイヤ２ａと、アルミニウム合金などから構成されるホイール２ｂとを主に備えて構成され、ホイール２ｂの内周部には、車輪駆動装置３（ＦＬ〜ＲＲモータ３ＦＬ〜３ＲＲ）がインホイールモータとして配設されている。
【００４７】
タイヤ２ａは、車両１の内側（図２（ａ）右側）に配置される第１トレッド２１と、その第１トレッド２１と特性が異なり、車両１の外側（図２（ａ）左側）に配置される第２トレッド２２とを備える。なお、車輪２（タイヤ２ａ）の詳細構成については図４を参照して後述する。
【００４８】
車輪駆動装置３は、図２（ａ）に示すように、その前面側（図２（ａ）左側）に突出された駆動軸３ａがホイール２ｂに連結固定されており、駆動軸３ａを介して、回転駆動力を車輪２へ伝達可能に構成されている。また、車輪駆動装置３の背面には、キャンバー角調整装置４（ＦＬ〜ＲＲアクチュエータ４ＦＬ〜４ＲＲ）が連結固定されている。
【００４９】
キャンバー角調整装置４は、複数本（本実施の形態では３本）の油圧シリンダ４ａ〜４ｃを備えており、それら３本の油圧シリンダ４ａ〜４ｃのロッド部は、車輪駆動装置３の背面側（図２（ａ）右側）にジョイント部（本実施の形態ではユニバーサルジョイント）５４を介して連結固定されている。なお、図２（ｂ）に示すように、各油圧シリンダ４ａ〜４ｃは、周方向略等間隔（即ち、周方向１２０°間隔）に配置されると共に、１の油圧シリンダ４ｂは、仮想軸Ｚｕ−Ｚｄ上に配置されている。
【００５０】
これにより、各油圧シリンダ４ａ〜４ｃが各ロッド部をそれぞれ所定方向に所定長さだけ伸長駆動又は収縮駆動することで、車輪駆動装置３が仮想軸Ｘｆ−Ｘｂ，Ｚｕ−Ｘｄを揺動中心として揺動駆動され、その結果、各車輪２に所定のキャンバー角と舵角とが付与される。
【００５１】
例えば、図２（ｂ）に示すように、車輪２が中立位置（車両１の直進状態）にある状態で、油圧シリンダ４ｂのロッド部が収縮駆動され、かつ、油圧シリンダ４ａ，４ｃのロッド部が伸長駆動されると、車輪駆動装置３が仮想線Ｘｆ−Ｘｂ回りに回転され（図２（ｂ）矢印Ａ）、車輪２にマイナス方向（ネガティブキャンバー）のキャンバー角（車輪２の中心線が仮想線Ｚｕ−Ｚｄに対してなす角度）が付与される。一方、これとは逆の方向に油圧シリンダ４ｂ及び油圧シリンダ４ａ，４ｃがそれぞれ伸縮駆動されると、車輪２にプラス方向（ポジティブキャンバー）のキャンバー角が付与される。
【００５２】
また、車輪２が中立位置（車両１の直進状態）にある状態で、油圧シリンダ４ａのロッド部が収縮駆動され、かつ、油圧シリンダ４ｃのロッド部が伸長駆動されると、車輪駆動装置３が仮想線Ｚｕ−Ｚｄ回りに回転され（図２（ｂ）矢印Ｂ）、車輪２にトーイン傾向の舵角（車輪２の中心線が車両１の基準線に対してなす角度であり、車両１の進行方向とは無関係に定まる角度）が付与される。一方、これとは逆の方向に油圧シリンダ４ａ及び油圧シリンダ４ｃが伸縮駆動されると、車輪２にトーアウト傾向の舵角が付与される。
【００５３】
なお、ここで例示した各油圧シリンダ４ａ〜４ｃの駆動方法は、上述した通り、車輪２が中立位置にある状態から駆動する場合を説明するものであるが、これらの駆動方法を組み合わせて各油圧シリンダ４ａ〜４ｃの伸縮駆動を制御することにより、車輪２に任意のキャンバー角及び舵角を付与することができる。
【００５４】
図１に戻って説明する。アクセルペダル５２及びブレーキペダル５３は、運転者により操作される操作部材であり、各ペダル５２，５３の踏み込み状態（踏み込み量、踏み込み速度など）に応じて、車両１の走行速度や制動力が決定され、車輪駆動装置３の作動制御が行われる。
【００５５】
ステアリング５４は、運転者により操作される操作部材であり、その操作状態（回転角度、回転速度など）に応じて、車両１の旋回半径などが決定され、キャンバー角調整装置４の作動制御が行われる。ワイパースイッチ５５は、運転者により操作される操作部材であり、その操作状態（操作位置など）に応じて、ワイパー（図示せず）の作動制御が行われる。
【００５６】
同様に、ウィンカスイッチ５６及び高グリップスイッチ５７は、運転者により操作される操作部材であり、その操作状態（操作位置など）に応じて、前者の場合はウインカー（図示せず）の作動制御が行われ、後者の場合はキャンバー角調整装置４の作動制御が行われる。
【００５７】
なお、高グリップスイッチ５７がオンされた状態は、車輪２の特性として高グリップ性が選択された状態に対応し、高グリップスイッチ５７がオフされた状態は車輪２の特性として低転がり抵抗が選択された状態に対応する。
【００５８】
車両用制御装置１００は、上述のように構成された車両１の各部を制御するための車両用制御装置であり、例えば、各ペダル５２，５３の操作状態を検出し、その検出結果に応じて車輪駆動装置３を作動させることで、各車輪２の回転速度を制御する。
【００５９】
或いは、アクセルペダル５２、ブレーキペダル５３やステアリング５４の操作状態を検出し、その検出結果に応じてキャンバー角調整装置４を作動させ、各車輪のキャンバー角を調整することで、車輪２に設けられた２種類のトレッド２１，２２を使い分けて（図５及び図６参照）、走行性能の向上と省燃費の達成とを図る。ここで、図３を参照して、車両用制御装置１００の詳細構成について説明する。
【００６０】
図３は、車両用制御装置１００の電気的構成を示したブロック図である。車両用制御装置１００は、図３に示すように、ＣＰＵ７１、ＲＯＭ７２及びＲＡＭ７３を備え、これらはバスライン７４を介して入出力ポート７５に接続されている。また、入出力ポート７５には、車輪駆動装置３等の複数の装置が接続されている。
【００６１】
ＣＰＵ７１は、バスライン７４により接続された各部を制御する演算装置である。ＲＯＭ７２は、ＣＰＵ７１により実行される制御プログラムや固定値データ等を格納した書き換え不能な不揮発性のメモリであり、ＲＡＭ７３は、制御プログラムの実行時に各種のデータを書き換え可能に記憶するためのメモリである。なお、ＲＯＭ７２内には、図７に図示されるフローチャート（キャンバ制御処理）のプログラムが格納されている。
【００６２】
車輪駆動装置３は、上述したように、各車輪２（図１参照）を回転駆動するための装置であり、各車輪２に回転駆動力を付与する４個のＦＬ〜ＲＲモータ３ＦＬ〜３ＲＲと、それら各モータ３ＦＬ〜３ＲＲをＣＰＵ７１からの命令に基づいて駆動制御する駆動回路（図示せず）とを主に備えている。
【００６３】
キャンバー角調整装置４は、上述したように、各車輪２の舵角とキャンバー角とを調整するための駆動装置であり、各車輪２（車輪駆動装置３）に角度調整のための駆動力を付与する４個のＦＬ〜ＲＲアクチュエータ４ＦＬ〜４ＲＲと、それら各アクチュエータ４ＦＬ〜４ＲＲをＣＰＵ７１からの命令に基づいて駆動制御する駆動回路（図示せず）とを主に備えている。
【００６４】
なお、ＦＬ〜ＲＲアクチュエータ４ＦＬ〜４ＲＲは、３本の油圧シリンダ４ａ〜４ｃと、それら各油圧シリンダ４ａ〜４ｃにオイル（油圧）を供給する油圧ポンプ４ｄ（図１参照）と、その油圧ポンプから各油圧シリンダ４ａ〜４ｃに供給されるオイルの供給方向を切り換える電磁弁（図示せず）と、各油圧シリンダ４ａ〜４ｃ（ロッド部）の伸縮量を検出する伸縮センサ（図示せず）とを主に備えて構成されている。
【００６５】
ＣＰＵ７１からの指示に基づいて、キャンバー角調整装置４の駆動回路が油圧ポンプを駆動制御すると、その油圧ポンプから供給されるオイル（油圧）によって、各油圧シリンダ４ａ〜４ｃが伸縮駆動される。また、電磁弁がオン／オフされると、各油圧シリンダ４ａ〜４ｃの駆動方向（伸長又は収縮）が切り換えられる。
【００６６】
キャンバー角調整装置４の駆動回路は、各油圧シリンダ４ａ〜４ｃの伸縮量を伸縮センサにより監視し、ＣＰＵ７１から指示された目標値（伸縮量）に達した油圧シリンダ４ａ〜４ｃは、その伸縮駆動が停止される。なお、伸縮センサによる検出結果は、駆動回路からＣＰＵ７１に出力され、ＣＰＵ７１は、その検出結果に基づいて各車輪２の現在の舵角及びキャンバー角を得ることができる。
【００６７】
車両速度センサ装置３２は、路面Ｇに対する車両１の対地速度（絶対値及び進行方向）を検出すると共に、その検出結果をＣＰＵ７１に出力するための装置であり、前後及び左右方向加速度センサ３２ａ，３２ｂと、それら各加速度センサ３２ａ，３２ｂの検出結果を処理してＣＰＵ７１に出力する制御回路（図示せず）とを主に備えている。
【００６８】
前後方向加速度センサ３２ａは、車両１（車体フレームＢＦ）の前後方向（図１上下方向）の加速度を検出するセンサであり、左右方向加速度センサ３２ｂは、車両１（車体フレームＢＦ）の左右方向（図１左右方向）の加速度を検出するセンサである。なお、本実施の形態では、これら各加速度センサ３２ａ，３２ｂが圧電素子を利用した圧電型センサとして構成されている。
【００６９】
ＣＰＵ７１は、車両速度センサ装置３２の制御回路から入力された各加速度センサ３２ａ，３２ｂの検出結果（加速度値）を時間積分して、２方向（前後及び左右方向）の速度をそれぞれ算出すると共に、それら２方向成分を合成することで、車両１の対地速度（絶対値及び進行方向）を得ることができる。
【００７０】
接地荷重センサ装置３４は、各車輪２の接地面が路面Ｇから受ける荷重を検出すると共に、その検出結果をＣＰＵ７１に出力するための装置であり、各車輪２が受ける荷重をそれぞれ検出するＦＬ〜ＲＲ荷重センサ３４ＦＬ〜３４ＲＲと、それら各荷重センサ３４ＦＬ〜３４ＲＲの検出結果を処理してＣＰＵ７１に出力する処理回路（図示せず）とを備えている。
【００７１】
なお、本実施の形態では、各荷重センサ３４ＦＬ〜３４ＲＲがピエゾ抵抗型の３軸荷重センサとして構成されている。これら各荷重センサ３４ＦＬ〜３４ＲＲは、各車輪２のサスペンション軸（図示せず）上に配設され、上述した車輪２が路面Ｇから受ける荷重を車両１の前後方向（仮想軸Ｘｆ−Ｘｂ方向）、左右方向（仮想軸Ｙｌ−Ｙｒ方向）及び上下方向（仮想軸Ｚｕ−Ｚｄ方向）の３方向で検出する（図２（ｂ）参照）。
【００７２】
ＣＰＵ７１は、接地荷重センサ装置３４から入力された各荷重センサ３４ＦＬ〜３４ＲＲの検出結果（接地荷重）より、各車輪２の接地面における路面Ｇの摩擦係数μを次のように推定する。
【００７３】
例えば、前輪２ＦＬに着目すると、ＦＬ荷重センサ３４ＦＬにより検出される車両１の前後方向、左右方向および垂直方向の荷重がそれぞれＦｘ、Ｆｙ及びＦｚであれば、前輪２ＦＬの接地面に対応する部分の路面Ｇにおける車両１前後方向の摩擦係数μは、前輪２ＦＬが路面Ｇに対してスリップしているスリップ状態ではＦｘ／Ｆｚとなり（μｘ＝Ｆｘ／Ｆｚ）、前輪２ＦＬが路面Ｇに対してスリップしていない非スリップ状態ではＦｘ／Ｆｚよりも大きい値であると推定される（μｘ＞Ｆｘ／Ｆｚ）。
【００７４】
なお、車両１の左右方向の摩擦係数μｙについても同様であり、スリップ状態ではμｙ＝Ｆｙ／Ｆｚとなり、非スリップ状態ではＦｙ／Ｆｚよりも大きな値と推定される。また、摩擦係数μを他の手法により検出することは当然可能である。他の手法としては、例えば、特開２００１−３１５６３３号公報や特開２００３−１１８５５４号に開示される公知の技術が例示される。
【００７５】
車輪回転速度センサ装置３５は、各車輪２の回転速度を検出すると共に、その検出結果をＣＰＵ７１に出力するための装置であり、各車輪２の回転速度をそれぞれ検出する４個のＦＬ〜ＲＲ回転速度センサ３５ＦＬ〜３５ＲＲと、それら各回転速度センサ３５ＦＬ〜３５ＲＲの検出結果を処理してＣＰＵ７１に出力する処理回路（図示せず）とを備えている。
【００７６】
なお、本実施の形態では、各回転センサ３５ＦＬ〜３５ＲＲが各車輪２に設けられ、各車輪２の角速度を回転速度として検出する。即ち、各回転センサ３５ＦＬ〜３５ＲＲは、各車輪２に連動して回転する回転体と、その回転体の周方向に多数形成された歯の有無を電磁的に検出するピックアップとを備えた電磁ピックアップ式のセンサとして構成されている。
【００７７】
ＣＰＵ７１は、車輪回転速度センサ装置３５から入力された各車輪２の回転速度と、予めＲＯＭ７２に記憶されている各車輪２の外径とから、各車輪２の実際の周速度をそれぞれ得ることができ、その周速度と車両１の走行速度（対地速度）とを比較することで、各車輪２がスリップしているか否かを判断することができる。
【００７８】
アクセルペダルセンサ装置５２ａは、アクセルペダル５２の操作状態を検出すると共に、その検出結果をＣＰＵ７１に出力するための装置であり、アクセルペダル５２の踏み込み状態を検出する角度センサ（図示せず）と、その角度センサの検出結果を処理してＣＰＵ７１に出力する制御回路（図示せず）とを主に備えている。
【００７９】
ブレーキペダルセンサ装置５３ａは、ブレーキペダル５３の操作状態を検出すると共に、その検出結果をＣＰＵ７１に出力するための装置であり、ブレーキペダル５３の踏み込み状態を検出する角度センサ（図示せず）と、その角度センサの検出結果を処理してＣＰＵ７１に出力する制御回路（図示せず）とを主に備えている。
【００８０】
ステアリングセンサ装置５４ａは、ステアリング５４の操作状態を検出すると共に、その検出結果をＣＰＵ７１に出力するための装置であり、ステアリング５４の操作状態を検出する角度センサ（図示せず）と、その角度センサの検出結果を処理してＣＰＵ７１に出力する制御回路（図示せず）とを主に備えている。
【００８１】
ワイパスイッチセンサ装置５５ａは、ワイパースイッチ５５の操作状態を検出すると共に、その検出結果をＣＰＵ７１に出力するための装置であり、ワイパースイッチ５５の操作状態（操作位置）を検出するポジショニングセンサ（図示せず）と、そのポジショニングセンサの検出結果を処理してＣＰＵ７１に出力する制御回路（図示せず）とを主に備えている。
【００８２】
ウィンカスイッチセンサ装置５６ａは、ウィンカスイッチ５６の操作状態を検出すると共に、その検出結果をＣＰＵ７１に出力するための装置であり、ウィンカスイッチ５６の操作状態（操作位置）を検出するポジショニングセンサ（図示せず）と、そのポジショニングセンサの検出結果を処理してＣＰＵ７１に出力する制御回路（図示せず）とを主に備えている。
【００８３】
高グリップスイッチセンサ装置５７ａは、高グリップスイッチ５７の操作状態を検出すると共に、その検出結果をＣＰＵ７１に出力するための装置であり、高グリップスイッチ５７の操作状態（操作位置）を検出するポジショニングセンサ（図示せず）と、そのポジショニングセンサの検出結果を処理してＣＰＵ７１に出力する制御回路（図示せず）とを主に備えている。
【００８４】
なお、本実施の形態では、各角度センサが電気抵抗を利用した接触型のポテンショメータとして構成されている。ＣＰＵ７１は、各センサ装置５２ａ〜５４ａの制御回路から入力された検出結果により各ペダル５２，５３の踏み込み量及びステアリング５４の操作角を得ると共に、その検出結果を時間微分することにより、各ペダル５２，５３の踏み込み速度（操作速度）及びステアリング５４の回転速度（操作速度）を得ることができる。
【００８５】
図３に示す他の入出力装置３５としては、例えば、雨量を検出するための雨量センサや路面Ｇの状態を非接触で検出する光学センサなどが例示される。
【００８６】
次いで、図４から図６を参照して、車輪２の詳細構成について説明する。図４は、車両１の上面視を模式的に示した模式図である。図５及び図６は、車両１の正面視を模式的に図示した模式図であり、図５では、車輪２にネガティブキャンバーが付与された状態が図示され、図６では、車輪２にポジティブキャンバーが付与された状態が図示されている。
【００８７】
上述したように、車輪２は、第１トレッド２１及び第２トレッド２２の２種類のトレッドを備え、図４に示すように、各車輪２（前輪２ＦＬ，２ＦＲ及び後輪２ＲＬ，２ＲＲ）において、第１トレッド２１が車両１の内側に配置され、第２トレッド２２が車両１の外側に配置されている。
【００８８】
本実施の形態では、両トレッド２１，２２の幅寸法（図４左右方向寸法）が同一に構成されている。また、第１トレッド２１は、第２トレッド２２に比して、グリップ力の高い特性（高グリップ性）に構成される。一方、第２トレッド２２は、第１トレッド２１に比して、転がり抵抗の小さい特性（低転がり抵抗）に構成されている。
【００８９】
例えば、図５に示すように、キャンバー角調整装置４が作動制御され、車輪２のキャンバー角θＬ，θＲがマイナス方向（ネガティブキャンバー）に調整されると、車両１の内側に配置される第１トレッド２１の接地圧Ｒｉｎが増加されると共に、車両１の外側に配置される第２トレッド２２の接地圧Ｒｏｕｔが減少される。これにより、第１トレッド２１の高グリップ性を利用して、走行性能（例えば、旋回性能、加速性能、制動性能或いは雨天時の車両安定性など）の向上を図ることができる。
【００９０】
一方、図６に示すように、キャンバー各調整装置４が作動制御され、車輪２のキャンバー角θＬ，θＲがプラス方向（ポジティブキャンバー方向）に調整されると、車両１の内側に配置される第１トレッド２１の接地圧が減少されると共に、車両１の外側に配置される第２トレッド２２の接地圧が増加される。これにより、第２トレッド２２の低転がり抵抗を利用して、省燃費性能の向上を図ることができる。
【００９１】
次いで、図７を参照して、キャンバー制御処理について説明する。図７は、キャンバー制御処理を示すフローチャートである。この処理は、車両用制御装置１００の電源が投入されている間、ＣＰＵ７１によって繰り返し（例えば、０．２ｍｓ間隔で）実行される処理であり、車輪２に付与するキャンバー角を調整することで、上述した走行性能と省燃費性能との２つの性能の両立を図る。
【００９２】
ＣＰＵ７１は、キャンバー制御処理に関し、まず、ワイパースイッチ５５がオンされているか否か、即ち、フロントガラスのワイパーによる拭き取り動作が運転者により指示されているか否かを判断する（Ｓ１）。その結果、ワイパースイッチ５５がオンされていると判断される場合には（Ｓ１：Ｙｅｓ）、現在の天候が雨天であり、路面Ｇに水膜が形成されている可能性があると推定されるので、車輪２にネガティブキャンバーを付与して（Ｓ６）、このキャンバー制御処理を終了する。
【００９３】
これにより、第１トレッド２１の接地圧Ｒｉｎが増加されると共に第２トレッド２２の接地圧Ｒｏｕｔが減少されることで（図５参照）、第１トレッド２１の高グリップ性を利用して、雨天時の車両安定性の向上を図ることができる。
【００９４】
Ｓ１の処理において、ワイパースイッチ５５はオンされていないと判断される場合には（Ｓ１：Ｎｏ）、雨天ではなく、路面Ｇの状態は良好であると推定されるので、次いで、アクセルペダル５２の踏み込み量は所定値以上であるか否か、即ち、所定以上の加速（急加速）が運転者により指示されているか否かを判断する（Ｓ２）。
【００９５】
その結果、アクセルペダル５２の踏み込み量が所定値以上であると判断される場合には（Ｓ２：Ｙｅｓ）、急加速が運転者より指示されており、車輪２がスリップするおそれがあるので、車輪２にネガティブキャンバーを付与して（Ｓ６）、このキャンバー処理を終了する。
【００９６】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップを防止することができ、車両１の加速性能の向上を図ることができる。
【００９７】
Ｓ２の処理において、アクセルペダル５２の踏み込み量が所定値に達していないと判断される場合には（Ｓ２：Ｎｏ）、急加速は指示されておらず、緩やかな加速又は定速走行であると推定されるので、次いで、ブレーキペダル５３の踏み込み量は所定値以上であるか否か、即ち、所定以上の制動（急制動）が運転者により指示されているか否かを判断する（Ｓ３）。
【００９８】
その結果、ブレーキペダル５３の踏み込み量が所定値以上であると判断される場合には（Ｓ３：Ｙｅｓ）、急制動が運転者より指示されており、車輪２がロックするおそれがあるので、車輪２にネガティブキャンバーを付与して（Ｓ６）、このキャンバー処理を終了する。
【００９９】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のロックを防止することができ、車両１の制動性能の向上を図ることができる。
【０１００】
Ｓ３の処理において、ブレーキペダル５３の踏み込み量が所定値に達していないと判断される場合には（Ｓ３：Ｎｏ）、急制動は指示されておらず、緩やかな制動か加速又は定速走行であると推定されるので、次いで、車両速度（対地速度）は所定値（例えば、時速１５ｋｍ）以下であるか否か、即ち、低速走行であるか否かを判断する（Ｓ１７）。
【０１０１】
その結果、車両速度が所定値以下（即ち、低速走行中）であると判断される場合には（Ｓ１７：Ｙｅｓ）、車両速度が所定値を越えている場合と比較して、車両１がその後に減速し停車する可能性や加速する可能性も高いといえる。よって、これらの場合には車両１（車輪２）のグリップ力や停止力を予め確保しておく必要があるので、車輪２にネガティブキャンバーを付与して（Ｓ６）、このキャンバー処理を終了する。
【０１０２】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のグリップ力を増加させることで、そのロックやスリップを防止して、車両１の制動性能や加速性能の向上を図ることができる。
【０１０３】
また、車両１が停車した後は、第１トレッド２１の高グリップ性を利用して、車両１（車輪２）の停止力を確保することができるので、車両１を安定した状態で停車させておくことができる。更に、その停車後に再発進する場合には、予め第１トレッドの接地圧Ｒｉｎが増加されていることで、車輪２がスリップすることを防止して、車両１の再発進をスムーズ且つ高レスポンスで行うことができる。
【０１０４】
Ｓ１７の処理において、車両速度が所定値よりも大きいと判断される場合には（Ｓ１７：Ｎｏ）、車両速度が低速ではなく、加減速の際の駆動力・制動力が比較的小さな値になると推定されるので、次いで、ウィンカスイッチ５６はオンであるか否か、即ち、右左折や車線変更を行う旨が運転者により指示されているか否かを判断する（Ｓ１８）。
【０１０５】
その結果、ウィンカスイッチ５６がオンであると判断される場合には（Ｓ１８：Ｙｅｓ）、右左折や車線変更に伴って、車両１の旋回動作やその準備のための減速が行われる可能性が高いので、車輪２にネガティブキャンバーを付与して（Ｓ６）、このキャンバー処理を終了する。
【０１０６】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップを防止することができ、車両１の旋回性能の向上を図ることができる。
【０１０７】
Ｓ１８の処理において、ウィンカスイッチ５６はオンされていないと判断される場合には（Ｓ１８：Ｎｏ）、右左折や車線変更に伴う車両１の旋回動作は行われないと推定されるので、次いで、高グリップスイッチ５７はオンであるか否か、即ち、車輪２の特性として高グリップ性を選択する旨が運転者により指示されているか否かを判断する（Ｓ１９）。
【０１０８】
その結果、高グリップスイッチ５７がオンであると判断される場合には（Ｓ１９：Ｙｅｓ）、車輪２の特性として高グリップ性が選択されたということであるので、車輪２にネガティブキャンバーを付与して（Ｓ６）、このキャンバー処理を終了する。
【０１０９】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップを防止することができ、車両１の制動性能や加速性能、或いは旋回性能の向上を図ることができる。
【０１１０】
Ｓ１９の処理において、高グリップスイッチ５７はオンされていないと判断される場合には（Ｓ１９：Ｎｏ）、次いで、ステアリング５４の操作角は所定値以上であるか否か、即ち、所定以上の旋回（急旋回）が運転者により指示されているか否かを判断する（Ｓ４）。
【０１１１】
その結果、ステアリング５４の操作角が所定値以上であると判断される場合には（Ｓ４：Ｙｅｓ）、急旋回が運転者より指示されており、車輪２がスリップして、車両１がスピンするおそれがあるので、車輪２にネガティブキャンバーを付与して（Ｓ６）、このキャンバー処理を終了する。
【０１１２】
これにより、上述した場合と同様に、第１トレッド２１の接地圧Ｒｉｎが増加されると共に第２トレッド２２の接地圧Ｒｏｕｔが減少されることで（図５参照）、第１トレッド２１の高グリップ性を利用して、車輪２のスリップ（車両１のスピン）を防止することができ、車両１の旋回性能の向上を図ることができる。
【０１１３】
一方、Ｓ４の処理において、ステアリング５４の操作角が所定値に達していないと判断される場合には（Ｓ４：Ｎｏ）、急旋回は指示されておらず、緩やかな旋回又は直進走行であり、また、Ｓ１からＳ３の処理より、路面状態は良好であり、急加速や急制動も指示されていないと推定される（Ｓ１：Ｎｏ、Ｓ２：Ｎｏ、Ｓ３：Ｎｏ）。
【０１１４】
よって、この場合には（Ｓ１：Ｎｏ、Ｓ２：Ｎｏ、Ｓ３：Ｎｏ、Ｓ４：Ｎｏ）、車輪２の性能として高グリップ性を得る必要はなく、低転がり抵抗による省燃費性能を得ることが好ましいと判断できるので、車輪２にポジティブキャンバーを付与して（Ｓ５）、このキャンバー処理を終了する。
【０１１５】
これにより、第１トレッド２１の接地圧Ｒｉｎが減少されると共に第２トレッド２２の接地圧Ｒｏｕｔが増加されることで（図６参照）、第２トレッド２１の低転がり抵抗を利用して、車輪２の転がり効率を向上させることができ、車両１の省燃費性能の向上を図ることができる。
【０１１６】
このように、本実施の形態によれば、キャンバー角調整装置４により車輪２のキャンバー角θＲ，θＬを調整して、第１トレッド２１における接地圧Ｒｉｎと第２トレッド２２における接地圧Ｒｏｕｔとの比率を変更することで、加速性能及び制動性能と省燃費性能との互いに背反する２つの性能の両立を図ることができる。
【０１１７】
次いで、図８から図１１を参照して、第２実施の形態について説明する。図８は、第２実施の形態における車輪２０２の上面図であり、図９は、車両２０１の上面視を模式的に示した模式図である。
【０１１８】
また、図１０は、左旋回状態にある車両２０１の正面視を模式的に図示した模式図であり、左右の車輪２に左旋回用の舵角が付与されると共に、旋回外輪（右の前輪２０２ＦＲ）にネガティブキャンバーが付与され、旋回内輪（左の車輪２０２ＦＬ）にキャンバー定常角が付与された状態が図示されている。
【０１１９】
第１実施の形態では、車輪２の両トレッド２１，２２の外径が幅方向に一定とされる場合を説明したが、第２実施の形態における車輪２は、第１トレッド２２１の外径が漸次縮径するように構成されている。なお、上記した第１実施の形態と同一の部分には同一の符号を付して、その説明は省略する。
【０１２０】
第２実施の形態における車輪２０２は、図８及び図９に示すように、車両２０１の内側（図８右側）に配置される第１トレッド２２１と、その第１トレッド２２１と特性が異なり、車両２０１の外側（図８左側）に配置される第２トレッド２２とを備える。
【０１２１】
なお、第１トレッド２２１は、第２トレッド２２に比して、グリップ力の高い特性（高グリップ性）に構成され、第２トレッド２２は、第１トレッド２２１に比して、転がり抵抗の小さい特性（低転がり抵抗）に構成されている。
【０１２２】
図８及び図９に示すように、車輪２０２は、両トレッド２２１，２２の幅寸法（図８左右方向寸法）が同一に構成されているが、第２トレッド２２における外径が幅方向（図８左右方向）に略一定に構成される一方で、第１トレッド２２１における外径が第２トレッド２２側（図８左側）から車両２０１の内側（図８右側）に向かうに従って漸次縮径して構成されている。
【０１２３】
これにより、図１０に示すように、車輪２０２（左の前輪２０２ＦＬ）に大きなキャンバー角を付与しなくても（即ち、キャンバー角を０°に設定しても）、第１トレッド２２１が路面Ｇから離れた状態で、第２トレッド２２のみを接地させることができる。その結果、車輪２全体としての転がり抵抗をより小さくして、省燃費性能のより一層の向上を図ることができる。同時に、第１トレッド２２１が接地せず、かつ、第２トレッド２２がより小さなキャンバー角で接地されることより、これら両トレッド２２１，２２の摩耗を抑制して、高寿命化を図ることができる。
【０１２４】
一方、図１０に示すように、車輪２０２（右の前輪２０２ＦＲ）にマイナス方向へのキャンバー角（ネガティブキャンバー）を付与して、第１トレッド２２１を接地させる場合には、かかる第１トレッド２２１の外径が漸次縮径されていることから、第１トレッド２２１における接地圧を幅方向（図８左右方向）全域において均等化することができ、トレッド端部に接地圧が集中することを抑制することができる。
【０１２５】
よって、高グリップの第１トレッド２２１を効率的に利用して、走行性能（旋回性能、加速性能、制動性能、雨天時の走行安定性など）のより一層の向上を図ることができると共に、第１トレッド２２１の偏摩耗を抑制して、高寿命化を図ることができる。
【０１２６】
次いで、図１１を参照して、第２実施の形態におけるキャンバー制御処理について説明する。図１１は、キャンバー制御処理を示すフローチャートである。この処理は、車両用制御装置１００の電源が投入されている間、ＣＰＵ７１によって繰り返し（例えば、０．２ｍｓ間隔で）実行される処理である。
【０１２７】
ＣＰＵ７１は、キャンバー制御処理に関し、ワイパースイッチ５５がオンされていると判断される場合（Ｓ１：Ｙｅｓ）、アクセルペダル５２の踏み込み量が所定値以上であると判断される場合（Ｓ１：Ｎｏ、Ｓ２：Ｙｅｓ）、ブレーキペダル５３の踏み込み量が所定値以上であると判断される場合（Ｓ１：Ｎｏ、Ｓ２：Ｎｏ、Ｓ３：Ｙｅｓ）、車両速度が所定値以下であると判断される場合（Ｓ１：Ｎｏ、Ｓ２：Ｎｏ、Ｓ３：Ｎｏ、Ｓ１７：Ｙｅｓ）、ウィンカスイッチ５６がオンされていると判断される場合（Ｓ１：Ｎｏ、Ｓ２：Ｎｏ、Ｓ３：Ｎｏ、Ｓ１７：Ｎｏ、Ｓ１８：Ｙｅｓ）、及び、高グリップスイッチ５７がオンされていると判断される場合には（Ｓ１：Ｎｏ、Ｓ２：Ｎｏ、Ｓ３：Ｎｏ、Ｓ１７：Ｎｏ、Ｓ１８：Ｙｅｓ）、上述した第１実施の形態で説明したように、路面Ｇに水膜が形成されている、急加速・急制動が指示されている、大きな駆動力の発生や停車が予測される、右左折や車線変更に伴う旋回動作が予測される、或いは、高グリップ性の選択が指示されているということであり、第１トレッド２２１の高グリップ性を利用する必要がある。
【０１２８】
よって、この場合には、左右の車輪２にネガティブキャンバー（本実施の形態では、少なくとも第２トレッド２２が路面Ｇから離接するキャンバー角、図１０に図示する右の前輪２０２ＦＲを参照）を付与して（Ｓ２７）、このキャンバー処理を終了する。
【０１２９】
これにより、上述した第１実施の形態の場合と同様に、第１トレッド２２１の接地圧Ｒｉｎが増加されると共に第２トレッド２２の接地圧Ｒｏｕｔが減少される（本実施の形態では接地圧Ｒｏｕｔが０となる）ことで、第１トレッド２２１の高グリップ性を利用して、車輪２のスリップ・ロックを防止することができ、車両２０１の走行安定性や加速・制動性能の向上を図ることができる。
【０１３０】
なお、左右の車輪２に付与するキャンバー角θＲ，θＬは直進走行時であれは同じ角度であることが好ましい。また、そのキャンバー角θＲ，θＬは第２トレッド２２が路面Ｇから離接する以上の角度であることが好ましい。
【０１３１】
一方、Ｓ４の処理において、ステアリング５４の操作角が所定値に達していないと判断される場合には（Ｓ４：Ｎｏ）、急旋回は指示されておらず、緩やかな旋回又は直進走行であり、また、Ｓ１からＳ３の処理より、路面状態は良好であり、急加速や急制動も指示されておらず、大きな駆動力の発生や停車は予測されず、右左折や車線変更に伴う旋回動作も予測されず、更に、高グリップ性の選択は指示されていないと推定される（Ｓ１：Ｎｏ、Ｓ２：Ｎｏ、Ｓ３：Ｎｏ、Ｓ１７：Ｎｏ、Ｓ１８：Ｎｏ、Ｓ１９：Ｎｏ）。
【０１３２】
よって、この場合には（Ｓ１：Ｎｏ、Ｓ２：Ｎｏ、Ｓ３：Ｎｏ、Ｓ１７：Ｎｏ、Ｓ１８：Ｎｏ、Ｓ１９：Ｎｏ、Ｓ４：Ｎｏ）、車輪２の性能として高グリップ性を得る必要はなく、低転がり抵抗による省燃費性能を得ることが好ましいと判断できるので、車輪２にキャンバー定常角を付与して（Ｓ２５）、このキャンバー処理を終了する。なお、本実施の形態では、キャンバー定常角が０°（図１０に図示する左の前輪２０２ＦＬ参照）に設定される。
【０１３３】
これにより、第１トレッド２２１が路面Ｇから離れた状態で、第２トレッド２２のみを接地させることができるので、車輪２０２全体としての転がり抵抗をより小さくして、省燃費性能のより一層の向上を図ることができる。また、この場合には、第１トレッド２２１が接地せず、かつ、キャンバー角が０°で第２トレッド２２が接地されることで、これら両トレッド２２１，２２の摩耗を抑制して、高寿命化を図ることができる。
【０１３４】
また、Ｓ４の処理において、ステアリング５４の操作角が所定値以上であると判断される場合には（Ｓ４：Ｙｅｓ）、急旋回が運転者より指示されており、車輪２がスリップして、車両２０１がスピンするおそれがある。そこで、本実施の形態では、旋回外輪（図１０では右の前輪２０２ＦＲ）にネガティブキャンバーを付与すると共に、旋回内輪（図１０では左の前輪２０２ＦＬ）にキャンバー定常角を付与して（Ｓ２６）、このキャンバー処理を終了する。
【０１３５】
これにより、旋回性能を確保しつつ、制御駆動コストの削減を図ることができる。即ち、旋回外輪では、第１トレッド２２１の接地圧Ｒｉｎが増加されると共に第２トレッド２２の接地圧Ｒｏｕｔが減少される（本実施の形態では０となる）ことで（図１０参照）、第１トレッド２２１の高グリップ性を利用して、車輪２０２のスリップ（車両２０１のスピン）を防止することができ、車両２０１の旋回性能の向上を図ることができる。一方、旋回内輪では、そのキャンバー角の変化を旋回外輪よりも少なくする（即ち、直進走行時のキャンバー角をそのまま維持する）ことで、車両用制御装置１００の制御コスト或いはキャンバー角調整装置４の駆動コストの削減を図ることができる。
【０１３６】
次いで、図１２から図１４を参照して、第３実施の形態について説明する。図１２は、第３実施の形態における車輪３０２の上面図である。また、図１３は、左旋回状態にある車両３０１の正面視を模式的に図示した模式図であり、左右の車輪２に左旋回用の舵角が付与されると共に、旋回外輪（右の前輪２０２ＦＲ）にネガティブキャンバーが付与され、旋回内輪（左の車輪２０２ＦＬ）にポジティブキャンバーが付与された状態が図示されている。
【０１３７】
第１実施の形態では、車輪２の両トレッド２１，２２の外径が幅方向に一定とされる場合を説明したが、第３実施の形態における車輪２は、第１トレッド２２１の外径と第３トレッド３２３の外径とが漸次縮径するように構成されている。なお、上記した各実施の形態と同一の部分には同一の符号を付して、その説明は省略する。
【０１３８】
第３実施の形態における車輪３０２は、図１２に示すように、第３トレッド３２３を備え、第１トレッド２２１が車両３０１の内側（図１２右側）に配置されると共に、第３トレッド３２３が車両３０１の外側（図１２左側）に配置され、第２トレッド２２が第１トレッド２２１と第３トレッド３２３との間に配置されている。
【０１３９】
そして、第３トレッド３２３は、少なくとも第２トレッド２２に比して、グリップ力の高い特性に構成されると共に、その第３トレッド３２３の外径は、図１２に示すように、第２トレッド２２側（図１２右側）から車両３０１の外側（図１２左側）に向かうに従って漸次縮径して構成されている。
【０１４０】
これにより、車輪３０２に大きなキャンバー角を付与することなく（例えば、キャンバー角を０°に設定しても）、第１トレッド２２１及び第３トレッド３２３が路面Ｇから離れた状態で、第２トレッド２２のみを接地させることができる。これにより、車輪３０２全体としての転がり抵抗をより小さくして、省燃費性能のより一層の向上を図ることができる。
【０１４１】
同時に、第１トレッド２２１及び第３トレッド３２３が接地せず、かつ、第２トレッド２２がより小さなキャンバー角で接地されることより、これら各トレッド２２１，２２，３２３の摩耗を抑制して、高寿命化を図ることができる。
【０１４２】
一方、車輪３０２にプラス方向へのキャンバー角（ポジティブキャンバー）を付与して、第３トレッド３２３を接地させる場合には、かかる第３トレッド３２３の外径が漸次縮径されていることから、第３トレッド３２３における接地圧を幅方向（図１２左右方向）全域において均等化することができ、トレッド端部に接地圧が集中することを抑制することができる。
【０１４３】
よって、高グリップ性の第３トレッド３２３を効率的に利用して、走行性能（旋回性能、加速性能、制動性能、雨天時の走行安定性など）のより一層の向上を図ることができると共に、偏摩耗を抑制して、高寿命化を図ることができる。
【０１４４】
次いで、図１４を参照して、第３実施の形態におけるキャンバー制御処理について説明する。図１４は、キャンバー制御処理を示すフローチャートである。この処理は、車両用制御装置１００の電源が投入されている間、ＣＰＵ７１によって繰り返し（例えば、０．２ｍｓ間隔で）実行される処理である。
【０１４５】
ＣＰＵ７１は、Ｓ４の処理において、ステアリング５４の操作角が所定値に達していないと判断される場合には（Ｓ４：Ｎｏ）、急旋回は指示されておらず、緩やかな旋回又は直進走行であり、また、Ｓ１からＳ３及びＳ１７からＳ１９の処理より、路面状態は良好であり、急加速や急制動も指示されておらず、大きな駆動力の発生や停車は予測されず、右左折や車線変更に伴う旋回動作も予測されず、更に、高グリップ性の選択は指示されていないと推定される（Ｓ１：Ｎｏ、Ｓ２：Ｎｏ、Ｓ３：Ｎｏ、Ｓ１７：Ｎｏ、Ｓ１８：Ｎｏ、Ｓ１９：Ｎｏ）。
【０１４６】
よって、この場合には（Ｓ１：Ｎｏ、Ｓ２：Ｎｏ、Ｓ３：Ｎｏ、Ｓ１７：Ｎｏ、Ｓ１８：Ｎｏ、Ｓ１９：Ｎｏ、Ｓ４：Ｎｏ）、車輪３０２の性能として高グリップ性を得る必要はなく、低転がり抵抗による省燃費性能を得ることが好ましいと判断できるので、車輪２にキャンバー定常角を付与して（Ｓ２５）、このキャンバー処理を終了する。なお、本実施の形態では、キャンバー定常角が０°（図１０に図示する左の前輪２０２ＦＬ参照）に設定される。
【０１４７】
これにより、第１トレッド２２１及び第３トレッド３２３が路面Ｇから離れた状態で、第２トレッド２２のみを接地させることができるので、車輪３０２全体としての転がり抵抗をより小さくして、省燃費性能のより一層の向上を図ることができる。また、この場合には、第１トレッド２２１及び第３トレッド３２３が接地せず、かつ、キャンバー角が０°で第２トレッド２２が接地されることで、これら各トレッド２２１，２２，３２３の摩耗を抑制して、高寿命化を図ることができる。
【０１４８】
また、Ｓ４の処理において、ステアリング５４の操作角が所定値以上であると判断される場合には（Ｓ４：Ｙｅｓ）、急旋回が運転者より指示されており、車輪２がスリップして、車両３０１がスピンするおそれがある。そこで、本実施の形態では、旋回外輪（図１３では右の前輪２０２ＦＲ）にネガティブキャンバーを付与すると共に、旋回内輪（図１３では左の前輪２０２ＦＬ）にポジティブキャンバーを付与して（Ｓ３６）、このキャンバー処理を終了する。
【０１４９】
即ち、Ｓ３６の処理では、図１３に示すように、左右の車輪３２０がいずれも旋回内方側（図１３右側）に傾斜するように、キャンバー角θＲ，θＬを付与するので、左右両輪３０２にそれぞれ横力を発生させて、それら両輪３０２の横力を旋回力として利用することができるので、旋回性能のより一層の向上を図ることができる。
【０１５０】
次いで、図１５を参照して、第４実施の形態について説明する。図１５は、第４実施の形態におけるキャンバー制御処理を示すフローチャートである。この処理は、車両用制御装置１００の電源が投入されている間、ＣＰＵ７１によって繰り返し（例えば、０．２ｍｓ間隔で）実行される処理である。
【０１５１】
第１実施の形態では、例えば、急加速や急旋回などが運転者により指示された場合に車輪２のキャンバー角を調整する場合を説明したが、第４実施の形態では、スリップした車輪２０２がある場合にその車輪２０２のキャンバー角を調整するように構成されている。
【０１５２】
なお、上記した各実施の形態と同一の部分には同一の符号を付して、その説明は省略する。また、第４実施の形態では、第２実施の形態における車両２０１（車輪２０２）を車両用制御装置１００で制御する場合を例に説明する。
【０１５３】
ＣＰＵ７１は、キャンバー角Ｓ４の処理において、まず、車両速度を検出すると共に（Ｓ４１）、車輪２０２の回転速度（周速度）を検出し（Ｓ４２）、これら車両速度と車輪２０２の周速度とに基づいて、スリップしている車輪２０２が有るか否かを判断する（Ｓ４３）。なお、車両速度及び車輪２０２の周速度は、上述したように、車両速度センサ装置３２及び車輪回転速度センサ装置３５により算出される。
【０１５４】
その結果、Ｓ４３の処理において、スリップしている車輪２０２はない、即ち、全ての車輪２０２が路面Ｇにグリップして走行していると判断される場合には（Ｓ４３：Ｎｏ）、車輪２０２の性能として高グリップ性を得る必要はなく、低転がり抵抗による省燃費性能を得ることが好ましいと判断できるので、車輪２０２にキャンバー定常角（第２実施の形態の場合と同様に０°）を付与して（Ｓ４４）、このキャンバー処理を終了する。
【０１５５】
これにより、第１トレッド２２１が路面Ｇから離れた状態で、第２トレッド２２のみを接地させることができるので、車輪２０２全体としての転がり抵抗をより小さくして、省燃費性能のより一層の向上を図ることができる。また、この場合には、第１トレッド２２１が接地せず、かつ、キャンバー角が０°で第２トレッド２２が接地されることで、これら両トレッド２２１，２２の摩耗を抑制して、高寿命化を図ることができる。
【０１５６】
一方、Ｓ４３の処理において、スリップしている車輪２０２があると判断される場合には（Ｓ４３：Ｙｅｓ）、車両２０１の加速性能や走行安定性が損なわれるおそれがあるので、スリップしている車輪２０２にネガティブキャンバーを付与して（Ｓ４５）、このキャンバー処理を終了する。
【０１５７】
これにより、上述した第１実施の形態の場合と同様に、第１トレッド２２１の接地圧Ｒｉｎが増加されると共に第２トレッド２２の接地圧Ｒｏｕｔが減少される（本実施の形態では接地圧Ｒｏｕｔが０となる）ことで、第１トレッド２２１の高グリップ性を利用して、車輪２０２のスリップを防止することができ、車両２０１の加速性能や走行安定性の向上を図ることができる。
【０１５８】
次いで、図１６から図１９を参照して、第５実施の形態について説明する。第１実施の形態では、車輪２にネガティブキャンバー又はポジティブキャンバーを付与する場合に、そのキャンバー角が車両１の走行状態に寄らず一定値である場合を説明したが、第５実施の形態では、車両１の走行状態に応じて、車輪２に付与されるキャンバー角の大きさが増減するように構成されている。
【０１５９】
なお、上記した各実施の形態と同一の部分には同一の符号を付して、その説明は省略する。また、第５実施の形態では、第１実施の形態における車両１（車輪２）を車両用制御装置５００で制御する場合を例に説明する。
【０１６０】
図１６は、第５実施の形態における車両用制御装置５００の電気的構成を示したブロック図である。車両用制御装置５００は、図１６に示すように、ＣＰＵ７１、ＲＯＭ５７２及びＲＡＭ７３を備え、これらはバスライン７４を介して入出力ポート７５に接続されている。第５実施の形態におけるＲＯＭ５７２には、摩擦係数マップ５７２ａとキャンバー角マップ５７２ｂとが設けられている。なお、これら両マップ５７２ａ，５７２ｂの詳細については、図１７及び図１８を参照して後述する。
【０１６１】
路面状況スイッチセンサ装置５５８ａは、路面状況スイッチ（図示せず）の操作状態を検出すると共に、その検出結果をＣＰＵ７１に出力するための装置であり、路面状況スイッチの操作状態（操作位置）を検出するポジショニングセンサ（図示せず）と、そのポジショニングセンサの検出結果を処理してＣＰＵ７１に出力する制御回路（図示せず）とを主に備えている。
【０１６２】
なお、路面状況スイッチは、運転者により操作される操作部材であり、走行路面の状況に応じて、運転者により路面状況スイッチが切り換えられると、その操作状態（操作位置）に応じて、キャンバー角調整装置４の作動制御がＣＰＵ７１により行われる。具体的には、路面状況スイッチは、３段式（３ポジション式）のロッカースイッチとして構成され、第１位置は走行路面が乾燥舗装路である状態に、第２位置は走行路面が未舗装路である状態に、第３位置は走行路面が雨天舗装路である状態に、それぞれ対応する。
【０１６３】
図１７は、摩擦係数マップ５７２ａの内容を模式的に図示した模式図である。摩擦係数マップ５７２ａは、アクセルペダル５２ａ及びブレーキペダル５３の踏み込み量（操作量）と必要前後摩擦係数との関係を記憶したマップである。
【０１６４】
ＣＰＵ７１は、この摩擦係数マップ５７２ａの内容に基づいて、現在の車両１の走行状態において車輪２が発揮すべき摩擦係数（即ち、車輪２にスリップやロックを生じさせないために必要な摩擦係数）を算出する。なお、縦軸に示した必要前後摩擦係数は、車輪２にスリップ又はロックを生じさせないために必要な車両前後方向（図１上下方向）における摩擦係数である。
【０１６５】
この摩擦係数マップ５７２ａによれば、図１７に示すように、アクセルペダル５２及びブレーキペダル５３が操作されていない状態（アクセル及びブレーキ操作量＝０）では、必要前後摩擦係数が最小値μｆｍｉｎに規定されると共に、アクセルペダル５２又はブレーキペダル５３の操作量（踏み込み量）に比例して、必要前後摩擦係数が直線的に変化し、アクセルペダル５２又はブレーキペダル５３の操作量が最大に操作された状態（アクセル操作量＝１００％）において、必要前後摩擦係数が最大値μｆｍａｘとなるように規定されている。
【０１６６】
図１８は、キャンバー角マップ５７２ｂの内容を模式的に図示した模式図である。キャンバー角マップ５７２ｂは、車輪２の摩擦係数及び転がり抵抗とキャンバー角との関係を記憶したマップであり、車輪２を使用した予備試験で実測された値が記憶されている。
【０１６７】
ＣＰＵ７１は、このキャンバー角マップ５７２ｂの内容に基づいて、車輪２に付与すべきキャンバー角を算出する。
【０１６８】
なお、図１８において、実線５０１は摩擦係数に、実線５０２は転がり抵抗に、それぞれ対応する。また、横軸のキャンバー角は、図１８右側（角度０度よりもθａ側）がネガティブキャンバー（即ち、高グリップの第１トレッド２１の接地圧が増加する側、図５参照）に、図１８左側（角度０度よりもθｂ側）がポジティブキャンバー（即ち、低転がり抵抗の第２トレッド２２の接地圧が増加する側、図６参照）に、それぞれ対応する。
【０１６９】
ここで、キャンバー角マップ５７２ｂには、上述した路面状況スイッチの３種類の操作状態に対応して、３種類のマップが記憶されているが、図１８では、図面を簡素化して理解を容易とするべく、１種類のマップ（乾燥舗装路用マップ）のみを代表例として図示し、他の２種類についてはその図示を省略している。
【０１７０】
即ち、キャンバー角マップ５７２ｂには、乾燥舗装路用マップ、未舗装用マップ及び雨天舗装路用マップの３種類が記憶されており、ＣＰＵ７１は、路面状況スイッチの操作状態を検出し、乾燥舗装路が指示されている場合には乾燥舗装路用マップを、未舗装路が指示されている場合には未舗装路用マップを、雨天舗装路が指示されている場合には雨天舗装路用マップを、それぞれ読み出し、その内容に基づいて、キャンバー角調整装置４の作動制御を行う。
【０１７１】
このキャンバー角マップ５７２ｂによれば、図１８に示すように、キャンバー角が０度の状態（即ち、第１トレッド２１と第２トレッド２２とが均等に接地している状態）から、キネガティブキャンバー側（θａ側）へ向けて変化すると、かかる変化に伴って、高グリップ特性の第１トレッド２１の接地圧が漸次増加する（低転がり抵抗の第２トレッド２２の接地圧が漸次減少する）ことで、摩擦係数（及び転がり抵抗）が漸次増加するように規定されている。
【０１７２】
そして、キャンバー角がθａ（以下、「第２キャンバー角θａ」と称す。）に達すると、第２トレッド２２が走行路面から離間され、第１トレッド２１のみが走行路面に接地した状態となることで、摩擦係数が最大値μａに達する。
【０１７３】
なお、キャンバー角が第２キャンバー角θａからネガティブキャンバー側へ向けて更に変化しても、第２トレッド２２が既に走行路面から離間されているので、摩擦係数の変化はほとんど生じず、摩擦係数は最大値μａに維持される。また、転がり抵抗の変化も同様であり、第２キャンバー角θａで最大値となり、その後はほぼ一定値を維持する。
【０１７４】
一方、図１８に示すように、キャンバー角が０度の状態（即ち、第１トレッド２１と第２トレッド２２とが均等に接地している状態）から、ポジティブキャンバー側（θｂ側）へ向けて変化すると、かかる変化に伴って、低転がり抵抗の第２トレッド２２の接地圧が漸次増加する（高グリップ特性の第１トレッド２１の接地圧が漸次減少する）ことで、摩擦係数（及び転がり抵抗）が漸次減少するように規定されている。
【０１７５】
そして、キャンバー角がθｂ（以下、「第１キャンバー角θｂ」と称す。）に達すると、第１トレッド２１が走行路面から離間され、第２トレッド２２のみが走行路面に接地した状態となることで、摩擦係数が最小値μｂに達する。
【０１７６】
なお、キャンバー角が第１キャンバー角θｂからポジティブキャンバー側へ向けて更に変化しても、第１トレッド２１が既に走行路面から離間されているので、摩擦係数の変化はほとんど生じず、摩擦係数は最小値μｂに維持される。また、転がり抵抗の変化も同様であり、第１キャンバー角θｂで最小値となり、その後はほぼ一定値を維持する。
【０１７７】
ここで、図１８で図示を省略した未舗装路面用マップ及び雨天舗装路面用マップについては、乾燥路面用マップの実線を摩擦係数が小さくなる方向へ平行移動した特性である。即ち、摩擦係数が最小値又は最大値となるキャンバー角はいずれのマップにおいても第１又は第２キャンバー角θａ，θｂである。
【０１７８】
次いで、図１９を参照して、第５実施の形態におけるキャンバー制御処理について説明する。図１９は、キャンバー制御処理を示すフローチャートである。この処理は、車両用制御装置５００の電源が投入されている間、ＣＰＵ７１によって繰り返し（例えば、０．２ｍｓ間隔で）実行される処理である。
【０１７９】
ＣＰＵ７１は、キャンバー制御処理に関し、まず、路面状況を判断する（Ｓ５１）。この処理は、路面状況スイッチセンサ装置５５８ａ（図１６参照）による検出結果を確認し、運転者による路面状況スイッチの操作状態を取得することで行われる。即ち、ＣＰＵ７１は、上述したように、路面状況スイッチの操作位置を第１位置と確認した場合には、路面状況を乾燥路面と判断し、第２位置であれば未舗装路面と判断すると共に、第３位置であれば雨天舗装路面と判断する。
【０１８０】
次いで、Ｓ５２の処理では、アクセルペダル５２及びブレーキペダル５３の操作状態を検出し（Ｓ５２）、その検出した操作状態に対応する必要前後摩擦係数を摩擦係数マップ５７２ａ（図１７参照）から読み出す（Ｓ５３）。これにより、車輪２にスリップ又はロックを生じさせないために必要な車両前後方向（図１上下方向）における摩擦係数を得ることができる。
【０１８１】
次いで、Ｓ５４の処理では、車輪２の舵角及び車両１の対地速度（車速）を検出し（Ｓ５４）、その検出した舵角及び車速から必要横摩擦係数を算出する（Ｓ５５）。なお、ＣＰＵ７１は、上述したように、ステアリングセンサ装置５４ａ及び車両速度センサ装置３２の検出結果に基づいて、車輪２の舵角及び車両１の対地速度を検出する。
【０１８２】
ここで、必要横摩擦係数は、旋回走行中の車両１において、その車輪２にスリップが生じさせないために必要な車両左右方向（図１左右方向）における摩擦係数であり、次に説明するように算出される。
【０１８３】
即ち、まず、車輪２の舵角σ、アッカーマン旋回半径Ｒ０及び車両１のホイールベースＩの関係は、ｔａｎσ＝Ｉ／Ｒ０により表すことができる。この関係式は、舵角σが微小角の場合、σ＝Ｉ／Ｒ０と近似することができる。これをアッカーマン旋回半径Ｒ０について変形することで、Ｒ０＝Ｉ／σを得ることができる。
【０１８４】
一方、車両１の実旋回半径Ｒ及び車両１の対地速度（車速）ｖの関係は、車両１について実測したスタビリティファクターＫを使用することで、車両１のステア特性より、Ｒ／Ｒ０＝１＋Ｋ・ｖ２により表すことができる。これを実旋回半径Ｒについて変形すると共に、先に求めたアッカーマン旋回半径Ｒ０を代入することで、Ｒ＝Ｉ（１＋Ｋ・ｖ２）／σを得ることができる。
【０１８５】
ここで、旋回走行中に車両１に作用する遠心力Ｆは、車両１の重量をｍとすれば、Ｆ＝ｍ・ｖ２／Ｒとなり、これに先に求めた実旋回半径Ｒを代入することで、Ｆ＝ｍ・ｖ２・σ／（Ｉ（１＋Ｋ・ｖ２））を得ることができる。車輪２が横方向（車両１の左右方向）にスリップすることを回避するための摩擦力は、この遠心力Ｆよりも大きな値であれば良いので、必要横摩擦係数μｗは、遠心力Ｆを重量ｍで割ることで、μｗ＝Ｆ／ｍ＝ｖ２・σ／（Ｉ（１＋Ｋ・ｖ２））により表すことができる。
【０１８６】
Ｓ５３及びＳ５５の処理において必要前後摩擦係数及び必要横摩擦係数を得た後は、それら必要前後摩擦係数及び必要横摩擦係数に基づいて（即ち、車両１の前後方向及び左右方向を向くベクトルの合力として）、必要摩擦係数を算出して（Ｓ５６）、Ｓ５７の処理へ移行する。
【０１８７】
Ｓ５７の処理では、Ｓ５６の処理において算出した必要摩擦係数と、車輪２が発揮可能な摩擦係数の最大値μａ及び最小値μｂとを比較し、必要摩擦係数が最小値μｂ以上かつ最大値μａ以下であるか否かを判断する（Ｓ５７）。
【０１８８】
なお、車輪２が発揮可能な摩擦係数の最大値μａ及び最小値μｂは、上述したように、キャンバー角マップ５７２ｂ（図１８参照）から読み出される。また、この場合には、ＣＰＵ７１は、Ｓ５１の処理において判別した路面状況に応じたマップを３種類のマップの中から選択し、その選択したマップの内容に基づいて、最大値μａ及び最小値μｂを読み出す。
【０１８９】
Ｓ５７において判断した結果、必要摩擦係数が最小値μｂ以上かつ最大値μａ以下であると判断される場合には（Ｓ５７：Ｙｅｓ）、必要摩擦係数に対応する（即ち、必要摩擦係数と同等の摩擦係数となる）キャンバー角をキャンバー角マップ５７２ｂから読み出し（Ｓ５８）、キャンバー角付与処理として、読み出したキャンバー角を車輪２に付与して（Ｓ５９）、このキャンバー制御処理を終了する。
【０１９０】
具体的には、この場合は、例えば、Ｓ５６の処理において算出された必要摩擦係数がμｘであって、μｂ≦μｘ≦μａの関係が成り立つということであるので（Ｓ５７：Ｙｅｓ）、この必要摩擦係数μｘに対応するキャンバー角を図１８に示すキャンバー角マップ５７２ｂからθｘと読み出し（Ｓ５８）、この読み出したキャンバー角θｘを車輪２に付与する（Ｓ５９）。
【０１９１】
これにより、車輪２の発揮する摩擦係数の変更を必要最低限の摩擦係数に制御することができるので、加速制動性能や旋回性能を必要な分だけ確保しつつも、転がり抵抗をより小さな値に抑制して、より一層の省燃費を達成することができる。
【０１９２】
一方、Ｓ５７の処理において、必要摩擦係数が最小値μｂ以上かつ最大値μａ以下ではないと判断される場合には（Ｓ５７：Ｎｏ）、次いで、必要摩擦係数が最小値μｂよりも小さいか否かを判断する（Ｓ６０）。その結果、必要摩擦係数が最小値μｂよりも小さいと判断される場合には（Ｓ６０：Ｙｅｓ）、第１キャンバー角を車輪２に付与して（Ｓ６１）、このキャンバー制御処理を終了する。
【０１９３】
具体的には、この場合は、Ｓ５６の処理において算出された必要摩擦係数μｙが最小値μｂよりも小さい（μｙ＜μｂ）ということであるが（Ｓ６０：Ｙｅｓ）、上述の場合のように、必要摩擦係数μｙに対応するキャンバー角を図１８に示すキャンバー角マップ５７２ｂから例えばθｙと読み出すのではなく、この場合は、車輪２に付与するキャンバー角を第１キャンバー角θｂと決定し、これを車輪２に付与する（Ｓ６１）。
【０１９４】
このように、本実施の形態では、図１８に示すように、Ｓ５６の処理において算出された必要摩擦係数μｙが車輪２の発揮できる摩擦係数の最小値μｂを下回っている場合、車輪２に第１キャンバー角θｂよりも絶対値が大きなキャンバー角を付与しても、それ以上の転がり抵抗の低減（省燃費走行の達成）を見込めないと判断し、車輪２には、最小値μｂを発揮可能な範囲内で最も小さい角度（０度に近い角度）、即ち、第１キャンバー角θｂを付与する。これにより、キャンバー角が不必要に大きくなることを回避して、車両１の走行安定性を確保することができる。
【０１９５】
一方、Ｓ６０の処理において、必要摩擦係数が最小値μｂよりも小さいと判断されない場合には（Ｓ６０：Ｎｏ）、必要摩擦係数が最大値μａよりも大きいということであるので、この場合には（Ｓ６０：Ｎｏ）、第２キャンバー角を車輪２に付与すると共に（Ｓ６２）、報知処理（Ｓ６３）を実行して、このキャンバー制御処理を終了する。
【０１９６】
具体的には、この場合は、Ｓ５６の処理において算出された必要摩擦係数μｚが最大値μａよりも大きい（μｂ＜μｚ）ということであるが（Ｓ６０：Ｎｏ）、上述の場合のように、必要摩擦係数μｚに対応するキャンバー角を図１８に示すキャンバー角マップ５７２ｂから例えばθｚと読み出すのではなく、この場合は、車輪２に付与するキャンバー角を第２キャンバー角θａと決定し、これを車輪２に付与する（Ｓ６２）。
【０１９７】
このように、本実施の形態では、図１８に示すように、Ｓ５６の処理において算出された必要摩擦係数μｚが車輪２の発揮できる摩擦係数の最大値μａを越えている場合、車輪２に第２キャンバー角θａよりも絶対値が大きなキャンバー角を付与しても、それ以上の摩擦係数の増加（グリップ性能の向上）を見込めないと判断し、車輪２には、最大値μａを発揮可能な範囲内で最も小さい角度（０度に近い角度）、即ち、第２キャンバー角θａを付与する。これにより、キャンバー角が不必要に大きくなることを回避して、車両１の走行安定性を確保することができる。
【０１９８】
ここで、報知処理（Ｓ６３）では、急加速や急制動などによって、車輪２がスリップやロックしている（又はするおそれのある）旨をスピーカーから出力すると共にモニター装置へ表示することで、運転者に対して報知する。なお、車両１が加速状態にある場合には、車両１の速度を低下させる手段（例えば、制動装置の作動による車両１の制動やエンジン等の出力を低下させる）をＳ６３の処理において実行しても良い。これにより、車両１の速度を運転者の操作に寄らず機械的に低下させることができ、安全性の向上に寄与できる。
【０１９９】
次いで、図２０を参照して、第６実施の形態について説明する。第５実施の形態では、車輪２に第１トレッド２１及び第２トレッド２２が設けられる場合を説明したが、第６実施の形態では、上述した第３実施の形態の場合と同様に、車輪３０２に第１トレッド２２１、第２トレッド２２及び第３トレッド３２３が設けられている。
【０２００】
なお、上記した各実施の形態と同一の部分には同一の符号を付して、その説明は省略する。また、第６実施の形態では、第３実施の形態における車両３０１（車輪３０２、図１２又は図１３参照）を第５実施の形態における車両用制御装置５００で制御する場合を例に説明する。但し、第６実施の形態では、第５実施の形態に対して、後述するように、キャンバー角マップの構成が異なる。
【０２０１】
図２０は、第６実施の形態におけるキャンバー角マップの内容を模式的に図示した模式図である。キャンバー角マップは、車輪３０２の摩擦係数及び転がり抵抗とキャンバー角との関係を記憶したマップであり、車輪３０２を使用した予備試験で実測された値が記憶されている。ＣＰＵ７１は、上述した第５実施の形態の場合と同様に、このキャンバー角マップの内容に基づいて、車輪３０２に付与すべきキャンバー角を算出する。
【０２０２】
なお、図２０において、実線６０１は摩擦係数に、実線６０２は転がり抵抗に、それぞれ対応する。また、第６実施の形態におけるキャンバー角マップには、第５実施の形態の場合と同様に、路面状況スイッチの３種類の操作状態に対応して、３種類のマップが記憶されているが、図２０では、図面を簡素化して理解を容易とするべく、１種類のマップ（乾燥舗装路用マップ）のみを代表例として図示し、他の２種類についてはその図示を省略している。
【０２０３】
第６実施の形態におけるキャンバー角マップによれば、図２０に示すように、キャンバー角が０度の状態（即ち、第２トレッド２２のみが接地し、第１及び第３トレッド２２１，３２３が走行路面から離間している状態）から、ネガティブキャンバー側（θｂｎ側）へ向けて変化した場合、キャンバー角がθｂｎまでの間は、第２トレッド２２のみが接地し、第１トレッド２２１（及び第３トレッド３２３）は走行路面から離間しているので、摩擦係数は最小値μｂに維持される。なお、転がり抵抗についても同様であり、この区間においては、最小値を維持する。
【０２０４】
そして、キャンバー角がθｂｎから、ネガティブキャンバー側（θａｎ側）へ向けて変化すると、かかる変化に伴って、高グリップ特性の第１トレッド２２１の接地圧が漸次増加する（低転がり抵抗の第２トレッド２２の接地圧が漸次減少する）ことで、摩擦係数（及び転がり抵抗）が漸次増加する。
【０２０５】
その後、キャンバー角がθａｎ（以下、「第３キャンバー角θａｎ」と称す。）に達すると、第２トレッド２２が走行路面から離間され、第１トレッド２２１のみが走行路面に接地した状態となることで、摩擦係数が最大値μａに達する。
【０２０６】
この場合、キャンバー角が第３キャンバー角θａｎからネガティブキャンバー側（図２０右側）へ向けて更に変化しても、第２トレッド２２が既に走行路面から離間されており、走行路面に接地するのは第１トレッド２２１のみであるので、摩擦係数の変化はほとんど生じず、摩擦係数は最大値μａに維持される。また、転がり抵抗の変化も同様であり、キャンバー角が第３キャンバー角θａｎに達した時点で最大値となり、その後はほぼ一定値を維持する。
【０２０７】
同様に、図２０に示すように、キャンバー角が０度の状態（即ち、第２トレッド２２のみが接地し、第１及び第３トレッド２２１，３２３が走行路面から離間している状態）から、ポジティブキャンバー側（θｂｐ側）へ向けて変化した場合、キャンバー角がθｂｐまでの間は、第２トレッド２２のみが接地し、第３トレッド３２３（及び第１トレッド２２１）は走行路面から離間しているので、摩擦係数は最小値μｂに維持される。なお、転がり抵抗についても同様であり、この区間においては、最小値を維持する。
【０２０８】
そして、キャンバー角がθｂｐから、ポジティブキャンバー側（θａｐ側）へ向けて変化すると、かかる変化に伴って、高グリップ特性の第３トレッド３２３の接地圧が漸次増加する（低転がり抵抗の第２トレッド２２の接地圧が漸次減少する）ことで、摩擦係数（及び転がり抵抗）が漸次増加する。
【０２０９】
その後、キャンバー角がθａｐ（以下、「第４キャンバー角θａｐ」と称す。）に達すると、第２トレッド２２が走行路面から離間され、第３トレッド３２３のみが走行路面に接地した状態となることで、摩擦係数が最大値μａに達する。
【０２１０】
この場合、キャンバー角が第４キャンバー角θａｐからポジティブキャンバー側（図２０左側）へ向けて更に変化しても、第２トレッド２２が既に走行路面から離間されており、走行路面に接地するのは第３トレッド３２３のみであるので、摩擦係数の変化はほとんど生じず、摩擦係数は最大値μａに維持される。また、転がり抵抗の変化も同様であり、キャンバー角が第４キャンバー角θａｐに達した時点で最大値となり、その後はほぼ一定値を維持する。
【０２１１】
次いで、図２１を参照して、第６実施の形態におけるキャンバー制御処理について説明する。図２１は、キャンバー制御処理を示すフローチャートである。この処理は、車両用制御装置５００の電源が投入されている間、ＣＰＵ７１によって繰り返し（例えば、０．２ｍｓ間隔で）実行される処理である。
【０２１２】
第６実施の形態では、ＣＰＵ７１は、キャンバー制御処理に関し、第５実施の形態の場合と同様に、路面状況を判断した後（Ｓ５１）、アクセルペダル５２及びブレーキペダル５３の操作状態を検出し（Ｓ５２）、その検出した操作状態に対応する必要前後摩擦係数を摩擦係数マップ５７２ａ（図１７参照）から読み出す（Ｓ５３）。
【０２１３】
Ｓ５３の処理を実行した後は、車輪３０２の舵角及び車両１の対地速度（車速）を検出し（Ｓ５４）、その検出した舵角及び車速から必要横摩擦係数を算出した後（Ｓ５５）、必要前後摩擦係数及び必要横摩擦係数に基づいて、必要摩擦係数を算出し（Ｓ５６）、その算出した必要摩擦係数が最小値μｂ以上かつ最大値μａ以下であるか否かを判断する（Ｓ５７）。
【０２１４】
その結果、必要摩擦係数が最小値μｂ以上かつ最大値μａ以下であると判断される場合には（Ｓ５７：Ｙｅｓ）、次いで、ステアリング５４の操作角は所定値以上であるか否か、即ち、所定以上の旋回（急旋回）が運転者により指示されているか否かを判断する（Ｓ６０１）。
【０２１５】
その結果、ステアリング５４の操作角が所定値以上であると判断される場合には（Ｓ６０１：Ｙｅｓ）、急旋回が運転者より指示されており、スリップのおそれがあると判断し、本実施の形態では、必要摩擦係数に対応する（即ち、必要摩擦係数と同等の摩擦係数となる）キャンバー角であって、旋回外輪がネガティブキャンバーとなり、かつ、旋回内輪がポジティブキャンバーとなるキャンバー角を図２０に示すキャンバー角マップから読み出し（Ｓ６５８）、キャンバー角付与処理として、読み出したキャンバー角を車輪３０２に付与して（Ｓ５９）、このキャンバー制御処理を終了する。
【０２１６】
これにより、第３実施の形態の場合と同様に、左右の車輪３２０がいずれも旋回内方側に傾斜するように、キャンバー角を付与することができる（図１３参照）。その結果、左右両輪３０２にそれぞれ横力を発生させて、それら両輪３０２の横力を旋回力として利用することができ、旋回性能のより一層の向上を図ることができる。
【０２１７】
一方、Ｓ６０１の処理において、ステアリング５４の操作角が所定値に達していないと判断される場合には（Ｓ６０１：Ｎｏ）、急旋回は指示されておらず、比較的緩やかな旋回又は直進走行であると判断し、本実施の形態では、必要摩擦係数に対応する（即ち、必要摩擦係数と同等の摩擦係数となる）キャンバー角であって、左右両輪がネガティブキャンバーとなるキャンバー角を図２０に示すキャンバー角マップから読み出し（Ｓ６０２）、キャンバー角付与処理として、読み出したキャンバー角を車輪３０２に付与して（Ｓ５９）、このキャンバー制御処理を終了する。これにより、車両３０１の姿勢を安定に保つことができる。
【０２１８】
一方、Ｓ５７の処理において、必要摩擦係数が最小値μｂ以上かつ最大値μａ以下ではないと判断される場合には（Ｓ５７：Ｎｏ）、次いで、必要摩擦係数が最小値μｂよりも小さいか否かを判断し（Ｓ６０）。必要摩擦係数が最小値μｂよりも小さいと判断される場合には（Ｓ６０：Ｙｅｓ）、キャンバー定常角を車輪３０２に付与して（Ｓ６６１）、このキャンバー制御処理を終了する。
【０２１９】
なお、本実施の形態では、キャンバー定常角が０度に設定される。これにより、第１トレッド２２１及び第３トレッド３２３が走行路面から離れた状態で、第２トレッド２２のみを接地させることができるので、車輪３０２全体としての転がり抵抗をより小さくして、省燃費性能のより一層の向上を図ることができる。また、この場合には、第１トレッド２２１及び第３トレッド３２３が接地せず、かつ、キャンバー角が０度で第２トレッド２２が接地されることで、これら各トレッド２２１，２２，３２３の摩耗を抑制して、高寿命化を図ることができる。更に、キャンバー角が不必要に大きくなることを回避して、車両１の走行安定性を確保することができる。
【０２２０】
一方、Ｓ６０の処理において、必要摩擦係数が最小値μｂよりも小さいと判断されない場合、即ち、必要摩擦係数が最大値μａよりも大きい場合には（Ｓ６０：Ｎｏ）、次いで、ステアリング５４の操作角は所定値以上であるか否か、即ち、所定以上の旋回（急旋回）が運転者により指示されているか否かを判断する（Ｓ６０３）。
【０２２１】
その結果、ステアリング５４の操作角が所定値以上であると判断される場合には（Ｓ６０４：Ｙｅｓ）、急旋回が運転者より指示されており、スリップのおそれがあると判断し、本実施の形態では、旋回外輪に上述した第３キャンバー角を付与すると共に旋回内輪に上述した第４キャンバー角を付与する（Ｓ６０５）。
【０２２２】
これにより、旋回外輪がネガティブキャンバーとなり、かつ、旋回内輪がポジティブキャンバーとなり、第３実施の形態の場合と同様に、左右の車輪３２０がいずれも旋回内方側に傾斜するように、キャンバー角を付与することができる（図１３参照）。その結果、左右両輪３０２にそれぞれ横力を発生させて、それら両輪３０２の横力を旋回力として利用することができ、旋回性能のより一層の向上を図ることができる。
【０２２３】
一方、Ｓ６０３の処理において、ステアリング５４の操作角が所定値に達していないと判断される場合には（Ｓ６０３：Ｎｏ）、急旋回は指示されておらず、比較的緩やかな旋回又は直進走行であると判断し、本実施の形態では、左右両輪に第３キャンバー角を付与する（Ｓ６０４）。これにより、左右両輪にネガティブキャンバーを付与して、車両３０１の姿勢を安定に保つことができる。
【０２２４】
なお、本実施の形態では、上述した第５実施の形態の場合と同様に、Ｓ５６の処理において算出された必要摩擦係数が車輪２の発揮できる摩擦係数の最大値μａを越えている場合、車輪３０２に第３又は第４キャンバー角よりも絶対値が大きなキャンバー角を付与しても、それ以上の摩擦係数の増加（グリップ性能の向上）を見込めないと判断し、車輪３０２には、最大値μａを発揮可能な範囲内で最も小さい角度（０度に近い角度）、即ち、第３又は第４キャンバー角を付与する。これにより、キャンバー角が不必要に大きくなることを回避して、車両３０１の走行安定性を確保することができる。
【０２２５】
Ｓ６０４又はＳ６０５の処理を実行した後は、報知処理（Ｓ６３）を実行して、このキャンバー制御処理を終了する。
【０２２６】
次いで、図２２から図２４を参照して、第７実施の形態について説明する。上記各実施の形態では、４つの車輪２ＦＬ〜２ＲＲが全て車輪駆動装置３によって駆動される四輪駆動車（車両１）に対するキャンバー角制御について説明したが、この第７の実施形態は、前左右輪２ＦＬ，２ＦＲが車輪駆動装置３によって駆動される駆動輪であり、後左右輪２ＲＬ，２ＲＲが駆動輪（車輪２ＦＬ，２ＦＲ）に従動する従動輪である二輪駆動車に対して行うキャンバー角制御である。
【０２２７】
この第７実施の形態における車両（車両１’）は、特に図示しないが、上記した第１実施の形態における車両１において、後左輪２ＲＬ及び後右輪２ＲＲをそれぞれ駆動するＲＬモータ３ＲＬ及びＲＲモータ３ＲＲが省略されると共に、その車両１’を制御する車両制御装置を車両制御装置１００から車両制御装置７００に変更した車両として構成される。なお、上記した各実施の形態と同一の部分には同一の符号を付して、その説明は省略する。
【０２２８】
図２２は、第７実施の形態における車両用制御装置７００の電気的構成を示したブロック図である。車両用制御装置７００は、図２２に示すように、ＣＰＵ７１と、摩擦係数マップ５７２ａ及びキャンバー角マップ５７２ｂを有するＲＯＭ５７２と、ＲＡＭ７３とを備え、これらはバスライン７４を介して入出力ポート７５に接続されている。
【０２２９】
この第７実施の形態における車両用制御装置７００の入出力ポート７５には、機械式ブレーキ制御装置３００が接続されている。この機械式ブレーキ制御装置３００は、運転者によるブレーキペダル５３の操作状態（踏み込み量、踏み込み速度など）に応じた機械ブレーキによる制動力を各車輪２ＦＬ〜２ＲＲへ付与するための制御装置である。
【０２３０】
ブレーキペダルセンサ装置５３ａにより運転者によるブレーキペダル５３の操作状態が検出されると、その検出結果がＣＰＵ７１へ出力される。ＣＰＵ７１は、該検出結果に基づき機械ブレーキ（液圧ブレーキ）の付与量を設定し、機械式ブレーキ制御装置３００へ出力する。機械式ブレーキ制御装置３００は、かかる付与量に基づき、各車輪２ＦＬ〜２ＲＲのブレーキアクチュエータ（図示せず）へ付与する液圧を制御する。その結果、各車輪２ＦＬ〜２ＲＲには、ブレーキペダル５３の操作状態に応じた機械ブレーキによる制動力が付与される。
【０２３１】
一方、前左輪２ＦＬ及び前右輪２ＦＲをそれぞれ駆動するＦＬモータ３ＦＬ及びＦＲモータ３ＦＲは、回生回路（図示せず）と共に回生ブレーキ装置を構成し、回生モータとして機能する。図示されない回生回路は、交流電流を直流電流に変換するインバータを内蔵し、ＣＰＵ７１からの制御信号に基づいてこれらのモータ３ＦＬ，３ＦＲを回生モータとして機能させることにより、これらのモータ３ＦＬ，３ＦＲにより発生された電力をバッテリ（図示せず）へ供給する。即ち、この第７実施の形態の車両１は、モータ３ＦＬ，３ＦＲによる回生ブレーキと、機械ブレーキ（液圧ブレーキ）との協調により制動を行う車両である。
【０２３２】
ここで、図２３は、第７実施の形態における車両１’におけるブレーキペダル５３の操作状態と制動力との相関を示す模式図である。図２３に示す模式図において、横軸は、ブレーキペダルセンサ装置５３ａにより検出されたブレーキペダル５３の踏力を示し、向かって右（図２３における右側）へ向かうほどブレーキペダル５３の踏力が大きいことを示す。一方、縦軸は、車両１へ付与される制動力を示し、上へ（図２３における上側へ）向かうほど、車両１へ付与される制動力が大きいことを示す。
【０２３３】
ここで、図２３において、点線７０１は、全体の制動力に対応する。図２３に示すように、運転者によりブレーキペダル５３が操作された場合、全体の制動力はブレーキペダル５３の踏力に比例して増加する。
【０２３４】
また、図２３において、実線７０２は、回生ブレーキによる制動力に対応し、実線７０３は、機械ブレーキによる制動力に対応する。図２３に示すように、運転者によってブレーキペダル５３が踏み込まれ始めてから、ブレーキペダル５３の踏力が「Ｘ」に到達するまでは、全体の制動力がすべて回生ブレーキによる制動力によって賄われる。即ち、ブレーキペダル５３の踏力が「０」から「Ｘ」までの範囲では、ＣＰＵ７１は、ブレーキペダル５３の踏力に応じた制動力を全て回生ブレーキから得るよう車輪駆動装置３（モータ３ＦＬ，３ＦＲ）へ制御信号を出力する。
【０２３５】
そして、運転者によるブレーキペダル５３の踏力がさらに大きくなり、ブレーキペダル５３の踏力が「Ｘ」以上になると、回生ブレーキと機械ブレーキとの協調による制動が行われる。即ち、ブレーキペダル５３の踏力が「Ｘ」以上の範囲では、ＣＰＵ７１は、ブレーキペダル５３の踏力に応じた回生ブレーキの付与量（制動力）と機械ブレーキの付与量（制動力）とをそれぞれ設定し、設定した制動力を車輪駆動装置３（モータ３ＦＬ，３ＦＲ）及びブレーキ機械式ブレーキ制御装置３０へ出力する。よって、従動輪である後左右輪２ＲＬ，２ＲＲへは、ブレーキペダル５３の踏力が「Ｘ」以上となった場合に機械ブレーキによる制動が開始される。
【０２３６】
次に、図２４を参照して、第７実施の形態におけるキャンバー角付与処理（Ｓ５９）について説明する。図２４は、キャンバー角付与処理（Ｓ５９）を示すフローチャートである。なお、このキャンバー角付与処理（Ｓ５９）は、上記した第５実施の形態のキャンバー制御処理の中で実行される処理である。
【０２３７】
図２４に示すように、このキャンバー角付与処理（Ｓ５９）によれば、Ｓ５５の処理により算出された必要横摩擦係数が閾値「Ｍ」未満（必要横摩擦係数＜Ｍ）であるかを確認する（Ｓ５９１）。Ｓ５９１の処理により確認した結果、必要横摩擦係数＜Ｍである場合、即ち、旋回半径が緩やか（直進を含む）であったり低速旋回であったりなどの理由によって車両１’の遠心力が必要横摩擦係数「Ｍ」に対応する遠心力より小さい場合には（Ｓ５９１：Ｙｅｓ）、ブレーキ踏力が機械ブレーキを作動させる境界である「Ｘ」未満（ブレーキ踏力＜Ｘ）であるかを確認する（Ｓ５９２）。
【０２３８】
Ｓ５９２の処理により確認した結果、ブレーキ踏力＜Ｘである場合、即ち、ブレーキペダル５３の踏力に応じた制動力が全て回生ブレーキによって賄われる場合には（Ｓ５９２：Ｙｅｓ）、Ｓ５８の処理により読み出したキャンバー角を駆動輪２ＦＬ．２ＦＲにのみ付与する（Ｓ５９３）。
【０２３９】
よって、このキャンバー角付与処理（Ｓ５９）によれば、駆動輪である前左右輪２ＦＬ．２ＦＲにのみ回生ブレーキによる制動力が付与される場合には、前左右輪２ＦＬ．２ＦＲに対してのみ、必要摩擦係数に応じたキャンバー角が付与される。
【０２４０】
このように、駆動輪である前左右輪２ＦＬ．２ＦＲにのみ回生ブレーキによる制動力が付与され、従動輪である後左右輪２ＲＬ，２ＲＲに対し制動力が付与されない場合には、後左右輪２ＲＬ，２ＲＲに高グリップ力を発揮させることは無駄となる。従って、かかる場合に、動輪である後左右輪２ＲＬ，２ＲＲに対し必要摩擦係数に応じたキャンバー角を付与する制御を行わないことにより、これらの従動輪（後左右輪２ＲＬ，２ＲＲ）に無駄な高グリップ力を発揮させることを抑制することができる。その結果、駆動輪２ＦＬ，２ＦＲと従動輪２ＲＬ，２ＲＲとを有する車両１’において、より一層の省燃費を達成することができる。
【０２４１】
一方で、Ｓ５９２の処理により確認した結果、ブレーキ踏力が「Ｘ」以上（ブレーキ踏力≧Ｘ）である場合、即ち、ブレーキペダル５３の踏力に応じて従動輪２ＲＬ，２ＲＲにも制動力が付与されている場合には（Ｓ５９２：Ｎｏ）、Ｓ５８の処理により読み出したキャンバー角を全ての車輪２（２ＦＬ〜２ＲＲ）に付与し（Ｓ５９６）、このキャンバー角付与処理（Ｓ５９）を終了する。
【０２４２】
よって、このキャンバー角付与処理（Ｓ５９）によれば、４つの車輪２（２ＦＬ〜２ＲＲ）の全てに制動力が付与される場合には、駆動輪２ＦＬ．２ＦＲだけでなく、従動輪２ＲＬ．２ＲＲにも、必要摩擦係数に応じたキャンバー角が付与されるので、全ての車輪２（２ＦＬ〜２ＲＲ）について、各車輪２のスリップを抑制するのに必要な摩擦係数を車輪２が確実に発揮させることができる。その結果、駆動輪２ＦＬ，２ＦＲと従動輪２ＲＬ，２ＲＲとを有する車両１’の制動性能を有効に向上させることができる。
【０２４３】
また、Ｓ５９１の処理により確認した結果、必要横摩擦係数がＭ以上（必要横摩擦係数≧Ｍ）である場合、即ち、急旋回であったり高速旋回であったりなどの理由によって車両１’の遠心力が必要横摩擦係数「Ｍ」に対応する遠心力以上である場合には（Ｓ５９１：Ｎｏ）、Ｓ５８の処理により読み出したキャンバー角を全ての車輪２（２ＦＬ〜２ＲＲ）に付与し（Ｓ５９６）、このキャンバー角付与処理（Ｓ５９）を終了する。
【０２４４】
よって、このキャンバー角付与処理（Ｓ５９）によれば、急旋回であったり高速旋回であったりなどの理由によって車両１’の遠心力が所定の閾値以上である場合には、駆動輪２ＦＬ．２ＦＲだけでなく、従動輪２ＲＬ．２ＲＲにも、必要摩擦係数に応じたキャンバー角が付与されるので、全ての車輪２（２ＦＬ〜２ＲＲ）について、各車輪２のスリップを抑制するのに必要な摩擦係数を車輪２が確実に発揮させることができる。その結果、駆動輪２ＦＬ，２ＦＲと従動輪２ＲＬ，２ＲＲとを有する車両１’の旋回性能（及び加速・制動性能）を有効に向上させることができる。
【０２４５】
また、Ｓ５９３の処理後、従動輪２ＲＬ．２ＲＲのキャンバー角は、第１キャンバー角θｂよりネガティブキャンバー側（即ち、図１８におけるθａ側）のキャンバー角であるかを確認し（Ｓ５９４）、従動輪２ＲＬ．２ＲＲのキャンバー角が第１キャンバー角θｂよりネガティブキャンバー側であれば（Ｓ５９４：Ｙｅｓ）、従動輪２ＲＬ．２ＲＲに第１キャンバー角θｂを付与し（Ｓ５９５）、このキャンバー角付与処理（Ｓ５９）を終了する。一方で、従動輪２ＲＬ．２ＲＲのキャンバー角が第１キャンバー角θｂよりネガティブキャンバー側でなければ（Ｓ５９４：Ｎｏ）、そのまま、このキャンバー角付与処理（Ｓ５９）を終了する。
【０２４６】
よって、このキャンバー角付与処理（Ｓ５９）によれば、Ｓ５９３の処理により駆動輪２ＦＬ．２ＦＲに対してのみ、必要摩擦係数に応じたキャンバー角が付与された場合、即ち、従動輪２ＲＬ．２ＲＲに対し、高グリップ力より省燃費性を優先させる場合に、従動輪２ＲＬ．２ＲＲのキャンバー角が、第１キャンバー角θｂよりネガティブキャンバー側のキャンバー角、即ち、従動輪２ＲＬ．２ＲＲの転がり抵抗が第１キャンバー角θｂよりも高い転がり抵抗となるキャンバー角であれば、従動輪２ＲＬ．２ＲＲのキャンバー角が第１キャンバー角θｂとされるので、かかる従動輪２ＲＬ．２ＲＲの転がり抵抗が低減される。その結果、駆動輪２ＦＬ，２ＦＲと従動輪２ＲＬ，２ＲＲとを有する車両１’において、より一層の省燃費を達成することができるのである。
【０２４７】
以上説明したように、第７実施の形態によれば、駆動輪２ＦＬ，２ＦＲと従動輪２ＲＬ，２ＲＲとを有する車両１’において、駆動輪２ＦＬ，２ＦＲには必要摩擦係数に応じたキャンバー角を随時付与する一方で、従動輪２ＲＬ，２ＲＲへ高グリップ力の付与が不要である場合には、必要摩擦係数に応じたキャンバー角の付与を行わない。よって、従動輪２ＲＬ，２ＲＲへは無駄な高グリップ力が与えられないので、その分、より一層の省燃費を達成することができる。
【０２４８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０２４９】
例えば、上記実施の形態で挙げた数値は一例であり、他の数値を採用することは当然可能である。また、上記各実施の形態における構成の一部又は全部を他の実施の形態における構成の一部又は全部と組み合わせて構成することは当然可能である。
【０２５０】
上記第１から第３実施の形態では、運転者によるアクセルペダル５２又はブレーキペダル５３の操作量（踏み込み量）が所定値以上の場合に車輪２にネガティブキャンバーを付与する場合を説明したが（図７Ｓ２、Ｓ３及びＳ６参照）、必ずしもこれに限られるものではなく、他の状態量に基づいて車輪２のキャンバー角を決定するように構成することは当然可能である。同様に、上記第５及び第６実施の形態では、摩擦係数マップ５７２ａのパラメータ（横軸）がアクセルペダル５２又はブレーキペダル５３の操作量（踏み込み量）により構成される場合を説明したが、必ずしもこれに限られるものではなく、他の状態量によりパラメータを構成することは当然可能である。
【０２５１】
ここで、他の状態量としては、例えば、アクセルペダル５２又はブレーキペダル５３の操作速度が例示される。例えば、アクセルペダル５２又はブレーキペダル５３の踏み込み量が同一であっても、その操作速度が基準値よりも速い（遅い）場合には、ネガティブキャンバー（ポジティブキャンバー）を付与するように構成しても良い。
【０２５２】
或いは、他の状態量としては、例えば、変速機のシフト操作が例示される。例えば、変速機の減速度を上げるシフト操作（シフトダウン操作）が行われた場合に、そのシフト操作により比較的大きな加減速が発生すると判断して、車輪２にネガティブキャンバーを付与するように構成しても良い。これにより、車輪２のスリップやロックを抑制して、車両１の加速性能や制動性能の向上を図ることができる。
【０２５３】
上記第１から第３実施の形態では、運転者によるステアリング５４の操作角が所定値以上の場合に車輪２にネガティブキャンバーを付与する場合を説明したが（図７Ｓ４及びＳ６参照）、必ずしもこれに限られるものではなく、他の状態量に基づいて車輪２のキャンバー角を決定するように構成することは当然可能である。
【０２５４】
ここで、他の状態量としては、例えば、ステアリング５４の操作速度が例示される。例えば、ステアリング５４の操作角が同一であっても、その操作速度が基準値よりも速い（遅い）場合には、ネガティブキャンバー（ポジティブキャンバー）を付与するように構成しても良い。
【０２５５】
上記第１から第３実施の形態では、加速（加減速）の状態を判断する手段として、各ペダル５２，５３の操作状態に基づいて判断する処理を例示したが、必ずしもこれに限られるものではなく、例えば、車両速度センサ装置３２（前後方向加速度センサ３２ａ、左右方向加速度センサ３２ｂ）により検出された実際の加減速度に基づいて判断することは当然可能である。即ち、車両に所定値以上の加減速度が発生した場合に、車輪２にネガティブキャンバーを付与し、所定値に達していない場合にポジティブキャンバーを付与するように構成しても良い。この場合には、車両前後方向と車両左右方向との両方向の加減速度に基づいて判断しても良く、或いは、これら両方向のいずれか一方の加減速度のみに基づいて判断しても良い。
【０２５６】
上記第１から第３実施の形態では、路面を判断する手段として、ワイパースイッチ５５の操作状態に基づいて判断する処理を例示したが、必ずしもこれに限られるものではなく、例えば、雨量センサにより降雨量を検出し、その検出値が所定値以上の場合に、車輪２にネガティブキャンバーを付与するように構成しても良い。或いは、非接触の光学式センサ等で路面の状態を検出し、その検出結果（路面の水膜状態、路面の積雪状態、路面の凍結状態、或いは、舗装状態など）に基づいて、車輪にネガティブキャンバー又はポジティブキャンバーを付与するように構成しても良い。
【０２５７】
上記第１から第３実施の形態では、ネガティブキャンバーを付与するか否かの判断順序として、ワイパースイッチ５５の状態、アクセルペダル５２の状態、ブレーキペダル５３の状態、車両速度の状態、ウィンカスイッチ５６の状態、高グリップスイッチ５７の状態、ステアリング５４の状態の順としたが（Ｓ１からＳ４参照）、この順序に限られるものではなく、これらを入れ替えて他の順序とすることは当然可能である。また、これらの判断ステップの一部を省略することも当然可能である。
【０２５８】
上記各実施の形態では、左右の車輪２に付与するキャンバー角θＲ，θＬが同じ角度である場合を説明したが（θＲ＝θＬ）、必ずしもこれに限られるものではなく、左右の車輪２にそれぞれ異なるキャンバー角θＲ，θＬを付与することは当然可能である（θＲ＜θＬ又はθＬ＜θＲ）。
【０２５９】
上記第１から第３実施の形態では、第１トレッド２１，２２１が車両内側に、第２トレッド２２が車両外側に、それぞれ配設される場合を説明したが、この位置関係に限定されるものではなく、各車輪２毎に適宜変更することは当然可能である。
【０２６０】
例えば、第１トレッド２１，２２１が車両外側に、第２トレッド２２が車両内側に、それぞれ配設されていても良く、前輪では第１トレッド２１，２２１が車両外側に、後輪では第２トレッド２２を車両内側に、それぞれ配設されていても良い。或いは、各車輪２毎にこの位置関係が異なっていても良い。
【０２６１】
上記第２から第４実施の形態では、キャンバー定常角が０°の場合を説明したが、必ずしもこれに限られるものではなく、キャンバー定常角をポジティブキャンバー又はネガティブキャンバーに設定することは当然可能である。
【０２６２】
上記各実施の形態では、車輪が２種類のトレッドを有する場合と３種類のトレッドを有する場合とを説明したが、これらの車輪を組み合わせることは当然可能である。例えば、前輪には２種類のトレッドを有する車輪２、２０２を使用し、後輪には３種類のトレッドを有する車輪３０３を使用しても良く、この逆でも良い。
【０２６３】
上記各実施の形態では、第１又は第３のトレッド２１，２２１，３２３が第２のトレッド２２に比して高グリップ性の特性を有し、第２のトレッド２２が第１又は第３のトレッド２１，２２１，３２３に比して低転がり性の特性を有する場合を説明したが、これら各トレッド２１，２２１，２２，３２３に他の特性を持たせて構成することは当然可能である。例えば、２種類のトレッドパターン（溝）を設けることで、一のトレッドは排水性の高い特性とし、他のトレッドはノードノイズの小さい特性をするものが例示される。
【０２６４】
上記第４実施の形態では、車輪２がスリップしているか否かに応じて車輪２のキャンバー角を制御する場合を説明したが（図１５Ｓ４３からＳ４５参照）、必ずしもこれに限られるものではなく、他の状態に基づいて車輪２のキャンバー角を制御することは当然可能である。
【０２６５】
他の状態としては、例えば、車輪２が走行する路面の摩擦係数μが例示される。なお、摩擦係数μは上述したように接地荷重センサ装置３４により推定することができる。或いは、車輪２がロックしているか否かに基づいて、車輪２のキャンバー角を制御する（ロック時にネガティブキャンバーを付与する）ようにしても良い。
【０２６６】
上記第５及び第６実施の形態では、摩擦係数マップ５７２ａにおいて、アクセル操作量に対する必要前後摩擦係数の変化と、ブレーキ操作量に対する必要前後摩擦係数の変化とが同じ変化となるように構成する場合を説明したが（図１７参照）、かかる構成は一例であり、他の構成とすることは当然可能である。
【０２６７】
例えば、アクセル操作量１００％における必要前後摩擦係数の最大値とブレーキ操作量１００％における必要前後摩擦係数の最大値とが異なる値であっても良い。また、アクセル操作量等の変化に対して必要前後摩擦係数が直線的に変化する場合を説明したが、かかる変化を曲線とすることは当然可能である。
【０２６８】
上記第５及び第６実施の形態では、車両用制御装置５００が１の摩擦係数マップ５７２ａのみを備える場合を説明したが、必ずしもこれに限られるものではなく、複数の摩擦係数マップを備えることは当然可能である。
【０２６９】
例えば、路面の状況に対応してそれぞれ異なる内容で構成される複数の摩擦係数マップ（例えば、路面状況スイッチの操作範囲に対応する乾燥舗装路用マップ、未舗装用マップ及び雨天舗装路用マップの３種類）を準備し、図１９のＳ５３の処理においては、路面状況スイッチの操作状態に対応するマップから必要前後摩擦係数を読み出すように構成しても良い。
【０２７０】
上記第７実施の形態では、駆動輪２ＦＬ，２ＦＲと従動輪２ＲＬ，２ＲＲとを有する車両１’に対し、図２４に示すキャンバー角付与処理（Ｓ５９）を適用したが、図２４に示すキャンバー角付与処理（Ｓ５９）は、車両１’のように、車両の構成として駆動輪と従動輪とを有する車両に対して適用されることに限定されず、駆動輪の駆動が停止されて従動輪化されている車両に対して適用することも可能である。例えば、第１実施の形態における車両１のように、全ての車輪２が駆動輪である車両において、後左輪２ＲＬ及び後右輪２ＲＲをそれぞれ駆動するＲＬモータ３ＲＬ及びＲＲモータ３ＲＲを停止してこれらの車輪２ＲＬ，２ＲＲを従動輪化した場合に、図２４に示すキャンバー角付与処理（Ｓ５９）を適用するように構成してもよい。
【０２７１】
上記第７実施の形態では、ブレーキ踏力が機械ブレーキを作動させる境界である「Ｘ」を閾値とし、ブレーキ踏力がかかる閾値以上であるか未満であるかによって、必要摩擦係数に応じたキャンバー角を全車輪２（２ＦＬ〜２ＲＲ）に付与するか、駆動輪２ＦＬ，２ＦＲのみに付与するかを決定する構成としたが、かかる閾値は機械ブレーキを作動させる境界に限定されるものではない。制動時における機械ブレーキによる制動力と回生ブレーキによる制動力との比率に基づいて、必要摩擦係数に応じたキャンバー角を全車輪２（２ＦＬ〜２ＲＲ）に付与するか、駆動輪２ＦＬ，２ＦＲのみに付与するかを決定する構成としてもよい。例えば、機械ブレーキにより付与される制動力に対する回生ブレーキにより付与される制動力が所定の閾値以上の比率である場合、即ち、回生ブレーキによる制動力の占める比率が、機械ブレーキによる制動力の占める比率に比べて十分大きい場合に、必要摩擦係数に応じたキャンバー角を駆動輪２ＦＬ，２ＦＲのみに付与し、その一方で、機械ブレーキにより付与される制動力に対する回生ブレーキにより付与される制動力が所定の閾値未満の比率である場合、即ち、回生ブレーキによる制動力の占める比率と機械ブレーキによる制動力の占める比率とが大きく異ならない場合には、必要摩擦係数に応じたキャンバー角を全車輪２（２ＦＬ〜２ＲＲ）Ｉに付与するように構成してもよい。
【０２７２】
また、上記第７実施の形態では、図２４に示すキャンバー角付与処理（Ｓ５９）を、第５実施の形態のキャンバー制御処理の中で実行される処理として説明したが、図２４に示すキャンバー角付与処理（Ｓ５９）を第６実施の形態のキャンバー制御処理の中で実行される処理に適用することも可能である。
【０２７３】
上記各実施の形態では、第１及び第２トレッド２１，２２１，２２の特性より得られる２つの性能として、高グリップ性より得られる走行性能（加速力・制動力・旋回力）と低転がり性（低転がり抵抗）より得られる省燃費性能との２つの性能を例に説明したが、必ずしもこれに限られるものではなく、他の２つの性能を発揮するように各トレッド２１，２２１，２２を構成することは当然可能である。
【０２７４】
例えば、他の２つの性能としては、路面にできた水膜の除去に適した溝パターンより得られる排水性能とパターンノイズの低減に適した溝パターンより得られる低ノイズ性能との２つの性能、未舗装路における路面に食い込むブロックパターンより得られる未舗装路でのグリップ性能と溝を有さず接地面積を確保したトレッドより得られる乾燥舗装路でのグリップ性能との２つの性能、或いは、積雪路や凍結路において駆動力・制動力を発揮する性能と常温における舗装路面で駆動力・制動力を発揮する性能との２つの性能などが例示される。
【図面の簡単な説明】
【０２７５】
【図１】本発明の第１実施の形態における車両用制御装置が搭載される車両を模式的に示した模式図である。
【図２】（ａ）は車輪の断面図であり、（ｂ）は車輪の舵角及びキャンバー角の調整方法を模式的に説明する模式図である。
【図３】車両用制御装置の電気的構成を示したブロック図である。
【図４】車両の上面視を模式的に示した模式図である。
【図５】車両の正面視を模式的に図示した模式図であり、車輪にネガティブキャンバーが付与された状態である。
【図６】車両の正面視を模式的に図示した模式図であり、車輪にポジティブキャンバーが付与された状態である。
【図７】キャンバー制御処理を示すフローチャートである。
【図８】第２実施の形態における車輪の上面図である。
【図９】車両の上面視を模式的に示した模式図である。
【図１０】左旋回状態にある車両の正面視を模式的に図示した模式図であり、左右の車輪に左旋回用の舵角が、旋回外輪（右の前輪）にネガティブキャンバーが、旋回内輪（左の車輪）にキャンバー定常角が、それぞれ付与された状態である。
【図１１】キャンバー制御処理を示すフローチャートである。
【図１２】第３実施の形態における車輪の上面図である。
【図１３】左旋回状態にある車両の正面視を模式的に図示した模式図であり、左右の車輪に左旋回用の舵角が、旋回外輪（右の前輪）にネガティブキャンバーが、旋回内輪（左の車輪）にポジティブキャンバーが、それぞれ付与された状態である。
【図１４】キャンバー制御処理を示すフローチャートである。
【図１５】第４実施の形態におけるキャンバー制御処理を示すフローチャートである。
【図１６】第５実施の形態における車両用制御装置の電気的構成を示したブロック図である。
【図１７】摩擦係数マップの内容を模式的に図示した模式図である。
【図１８】キャンバー角マップの内容を模式的に図示した模式図である。
【図１９】キャンバー制御処理を示すフローチャートである。
【図２０】第６実施の形態におけるキャンバー角マップの内容を模式的に図示した模式図である。
【図２１】キャンバー制御処理を示すフローチャートである。
【図２２】第７実施の形態における車両用制御装置の電気的構成を示したブロック図である。
【図２３】ブレーキペダルの操作状態と制動力との相関を示す模式図である。
【図２４】キャンバー角付与処理を示すフローチャートである。
【符号の説明】
【０２７６】
１００                車両用制御装置
１，２０１，３０１    車両
２，２０２，３０２    車輪
２ＦＬ                前輪（車輪、左車輪、駆動輪）
２ＦＲ                前輪（車輪、右車輪、駆動輪）
２ＲＬ                後輪（車輪、左車輪、従動輪）
２ＲＲ                後輪（車輪、右車輪、従動輪）
２１，２２１          第１トレッド
２２                  第２トレッド
３２３                第３トレッド
３ＦＬ                ＦＬモータ
３ＦＲ                ＦＲモータ
４                    キャンバー角調整装置
４ＦＬ〜４ＲＲ        ＦＬ〜ＲＲアクチュエータ（キャンバー角調整装置）
４ａ〜４ｃ            油圧シリンダ（キャンバー角調整装置の一部）
４ｄ                  油圧ポンプ（キャンバー角調整装置の一部）
【図１】
2008238911.tif 000003
【図２】
2008238911.tif 000004
【図３】
2008238911.tif 000005
【図４】
2008238911.tif 000006
【図５】
2008238911.tif 000007
【図６】
2008238911.tif 000008
【図７】
2008238911.tif 000009
【図８】
2008238911.tif 000010
【図９】
2008238911.tif 000011
【図１０】
2008238911.tif 000012
【図１１】
2008238911.tif 000013
【図１２】
2008238911.tif 000014
【図１３】
2008238911.tif 000015
【図１４】
2008238911.tif 000016
【図１５】
2008238911.tif 000017
【図１６】
2008238911.tif 000018
【図１７】
2008238911.tif 000019
【図１８】
2008238911.tif 000020
【図１９】
2008238911.tif 000021
【図２０】
2008238911.tif 000022
【図２１】
2008238911.tif 000023
【図２２】
2008238911.tif 000024
【図２３】
2008238911.tif 000025
【図２４】
2008238911.tif 000026